(57)【要約】【課題】リラックスや眠りやすい状態へ人の状態を誘導する翼列部を備えた装置等を実現する。【解決手段】複数の翼からなる翼列を含む第１の翼列部を備えた装置は、上記第１の翼列部の駆動時に発生する第１の音の周波数と、該装置が備えているか、または他の装置が備えている、複数の翼からなる翼列を含む第２の翼列部の駆動時に発生する第２の音の周波数との差が、脳波の誘導周波数、心拍数の誘導周波数、及び呼吸数の誘導周波数のうち何れかになるように構成されている。【選択図】図４
2017227207.tif 000002
【特許請求の範囲】
【請求項１】
複数の翼からなる翼列を含む第１の翼列部を備えた装置であって、
上記第１の翼列部の駆動時に発生する第１の音の周波数と、上記装置が備えているか、または他の装置が備えている、複数の翼からなる翼列を含む第２の翼列部の駆動時に発生する第２の音の周波数との差が、脳波の誘導周波数、心拍数の誘導周波数、及び呼吸数の誘導周波数のうち何れかになるように構成されている
ことを特徴とする装置。
【請求項２】
上記第２の翼列部を備えている
ことを特徴とする請求項１に記載の装置。
【請求項３】
上記第１の翼列部および上記第２の翼列部の駆動を制御する制御部を更に備える
ことを特徴とする請求項２に記載の装置。
【請求項４】
翼列部を駆動させる翼列駆動部は、上記第１の翼列部および上記第２の翼列部のそれぞれに対して設けられており、
上記制御部は、各翼列駆動部に対して、互いに異なる制御信号を供給することにより、上記第１の音の周波数と、上記第２の音の周波数との差が、脳波の誘導周波数、心拍数の誘導周波数、及び呼吸数の誘導周波数のうち何れかになるように制御する
ことを特徴とする請求項３に記載の装置。
【請求項５】
上記第１の翼列部の翼枚数と、上記第２の翼列部の翼枚数が互いに異なることにより、上記第１の音の周波数と、上記第２の音の周波数との差が、脳波の誘導周波数、心拍数の誘導周波数、及び呼吸数の誘導周波数のうち何れかになる
ことを特徴とする請求項２に記載の装置。
【請求項６】
上記第１の音は、上記第１の翼列部の駆動時に発生する送風音であり、
上記第２の音は、上記第２の翼列部の駆動時に発生する送風音であり、
上記第１の翼列部の送風路には、第１の送風抵抗部材が設けられており、
上記第２の翼列部の送風路には、第２の送風抵抗部材が設けられており、
上記第１の送風抵抗部材と上記第２の送風抵抗部材との間で送風抵抗が互いに異なることにより、上記第１の音の周波数と、上記第２の音の周波数との差が、脳波の誘導周波数、心拍数の誘導周波数、及び呼吸数の誘導周波数のうち何れかになる
ことを特徴とする請求項２に記載の装置。
【請求項７】
上記第１の送風抵抗部材および上記第２の送風抵抗部材の少なくとも１つの動作を制御することにより、上記第１の送風抵抗部材と上記第２の送風抵抗部材とで送風抵抗を互いに異ならせる抵抗制御部を更に備える
ことを特徴とする請求項６に記載の装置。
【請求項８】
翼列部を駆動させる翼列駆動部は、上記第１の翼列部および上記第２の翼列部のそれぞれに対して設けられており、
当該装置は、上記制御部が出力する制御電圧を降下させる抵抗を更に備え、
上記第１の翼列部を駆動させる第１の翼列駆動部には上記制御部が出力する制御電圧が入力され、上記第２の翼列部を駆動させる第２の翼列駆動部には上記抵抗により電圧降下された制御電圧が入力されることより、上記第１の音の周波数と、上記第２の音の周波数との差が、脳波の誘導周波数、心拍数の誘導周波数、及び呼吸数の誘導周波数のうち何れかになる
ことを特徴とする請求項３に記載の装置。
【請求項９】
上記第１の音は、上記第１の翼列部の駆動時に発生する送風音であり、
上記第２の音は、上記第２の翼列部の駆動時に発生する送風音であり、
上記第１の翼列部の送風方向と、上記第２の翼列部の送風方向とを変更する制御部を備えている
ことを特徴とする請求項３に記載の装置。
【請求項１０】
ユーザの位置を特定する特定部を更に備え、
上記制御部は、上記第１の翼列部の送風方向と、上記第２の翼列部の送風方向とを、上記特定部が特定した位置に向くように制御する
ことを特徴とする請求項３に記載の装置。
【請求項１１】
前記誘導周波数は、１４Ｈｚ以下であることを特徴とする、請求項２から１０の何れか１項に記載の装置。
【請求項１２】
前記誘導周波数は、１．３３Ｈｚ以下であることを特徴とする、請求項２から１０の何れか１項に記載の装置。
【請求項１３】
請求項１から１２の何れか１項に記載の装置と、上記第２の翼列部を備えた他の装置とを含む
ことを特徴とするシステム。
【請求項１４】
上記装置と上記他の装置は、上記第１の翼列部の正面方向と、上記第２の翼列部の正面方向が同じ向きとなるように配置されている
ことを特徴とする請求項１３に記載のシステム。
【請求項１５】
上記装置と上記他の装置は、上記第１の翼列部の正面方向と、上記第２の翼列部の正面方向が異なるように配置されている
ことを特徴とする請求項１３に記載のシステム。
【請求項１６】
複数の翼からなる翼列を含む第３の翼列部を備えた更に他の装置を含み、
上記第３の翼列部の駆動時に発生する第３の音の周波数は、上記第１の音または上記第２の音の周波数に等しい、
ことを特徴とする請求項１３に記載のシステム。
【請求項１７】
上記装置は、空間の換気を行う換気装置である
ことを特徴とする請求項１３から１６のいずれか１項に記載のシステム。
【請求項１８】
上記第１の音と上記第２の音が伝搬する空間の外部から、上記第１の翼列部の周囲を通って上記空間に伝搬する第４の音よりも上記第１の音が大きくなるように上記第１の翼列部の駆動を制御すると共に、該制御後の上記第１の音の周波数と、上記第２の音の周波数との差が、脳波の誘導周波数、心拍数の誘導周波数、及び呼吸数の誘導周波数のうち何れかになるように、上記第２の翼列部の駆動を制御する
ことを特徴とする請求項１３から１７のいずれか１項に記載のシステム。
【請求項１９】
上記装置は、上記第１の翼列部の駆動を制御する第１の制御部を備え、
上記他の装置は、上記第２の翼列部の駆動を制御する第２の制御部を備え、
上記第１の制御部と上記第２の制御部は、各翼列駆動部に対して所定の制御信号を供給することにより、上記第１の音の周波数と、上記第２の音の周波数との差が、脳波の誘導周波数、心拍数の誘導周波数、及び呼吸数の誘導周波数のうち何れかになるように制御する
ことを特徴とする請求項１３に記載のシステム。
【請求項２０】
上記第１の翼列部および上記第２の翼列部の駆動を制御する制御装置を更に含み、
翼列部を駆動させる翼列駆動部は、上記第１の翼列部および上記第２の翼列部のそれぞれに対して設けられており、
上記制御装置は、各翼列駆動部に対して、互いに異なる制御信号を供給することにより、上記第１の音の周波数と、上記第２の音の周波数との差が、脳波の誘導周波数、心拍数の誘導周波数、及び呼吸数の誘導周波数のうち何れかになるように制御する
ことを特徴とする請求項１３に記載のシステム。
【請求項２１】
複数の上記装置と、
複数の上記他の装置と、
複数の上記装置における上記第１の翼列部の駆動をそれぞれ制御して、各第１の翼列部から上記第１の音を発生させる第１の制御装置と、
複数の上記他の装置における上記第２の翼列部の駆動をそれぞれ制御して、上記第１の音の周波数との差が、脳波の誘導周波数、心拍数の誘導周波数、及び呼吸数の誘導周波数のうち何れかになるような周波数の第２の音を各第２の翼列部から発生させる第２の制御装置と、を更に含む
ことを特徴とする請求項１３に記載のシステム。
【請求項２２】
上記制御装置と該制御装置の制御対象である上記装置および上記他の装置とを構成要素とするユニットを複数含む
ことを特徴とする請求項２０に記載のシステム。
【請求項２３】
上記他の装置が備えている上記第２の翼列部の駆動時に発生する上記第２の音の周波数を検出する周波数検出部と、
上記周波数検出部が検出した上記周波数と、上記第１の音の周波数との差が、脳波の誘導周波数、心拍数の誘導周波数、及び呼吸数の誘導周波数のうち何れかになるように上記第１の翼列部を駆動する制御部と、を備えている
ことを特徴とする請求項１に記載の装置。
【請求項２４】
上記他の装置の上記第２の翼列部から発生する上記第２の音の可聴範囲に設置され、
上記第１の翼列部の駆動時に発生する上記第１の音を上記可聴範囲に出力する
ことを特徴とする請求項２３に記載の装置。
【請求項２５】
上記他の装置は屋外に設置されており、
上記装置は、上記他の装置に付随して設置されている
ことを特徴とする請求項２３に記載の装置。
【請求項２６】
上記他の装置は屋外に設置されており、
上記第１の翼列部の駆動時に発生する上記第１の音を、上記他の装置の上記第２の翼列部から発生する上記第２の音の可聴範囲内の所定のエリアに出力する
ことを特徴とする請求項２３に記載の装置。
【請求項２７】
上記他の装置の外部または内部に組み込まれていることを特徴とする請求項２３に記載の装置。
【請求項２８】
室内に設置されて、上記第１の音を室内に出力する
ことを特徴とする請求項２３に記載の装置。
【請求項２９】
上記第１の翼列部を駆動するための内部電源を備え、
ユーザが携帯して使用可能である
ことを特徴とする請求項２３に記載の装置。
【請求項３０】
上記第１の翼列部を駆動するための電力を外部電源から取得する電力取得部を備え、
据え置きして使用可能である
ことを特徴とする請求項２３に記載の装置。
【発明の詳細な説明】
【技術分野】
【０００１】
本発明は、翼列部を備えた装置等に関する。
【背景技術】
【０００２】
音に対する快適化の技術として、さまざまなものが開示されている。例えば、特許文献１には、空気調和機の室内機から出る送風音等を、それに設置された制御用スピーカで能動消音制御を行う能動消音制御装置が開示されている。また、特許文献２には、設備機器のモータなどの駆動部品について、人間にとって「快」と判断される音響的な特性を発生させるように該駆動部品を駆動させる快音化装置が開示されている。さらに、特許文献３には、送風ファンが回転作動時に、該送風ファンが備える複数の羽根が発した固有の音色が重なり合って協和音を構成し、耳に心地良い音色とする構成が開示されている。そして、特許文献４には、送風装置に設けたスピーカから快適性を付与する音を出力する音出力機能付き送風装置が開示されている。
【先行技術文献】
【特許文献】
【０００３】
【特許文献１】特開２０１０−２６６８８２号公報（２０１０年１１月２５日公開）
【特許文献２】特許第５８３７２１０号公報（２０１４年３月１３日公開）
【特許文献３】特開平４−９１３９８号公報（１９９２年３月２４日公開）
【特許文献４】特開２００３−１３０４３４号公報（２００３年５月８日公開）
【発明の概要】
【発明が解決しようとする課題】
【０００４】
しかしながら、上述のような従来技術において、送風装置による送風音は、送風性能の改良や低速動作するような制御により騒音値を下げても、特にリラックスしたい場面や眠りにつきたい場面では、その音が安静や安眠の妨げとなる場合があった。また、送風音を楽曲などでマスキングすることも、個人の好みによる快・不快の差が大きく、複数人が同居するような場面では必ずしも好適な方法では無かった。具体的には、前記特許文献１のようにスピーカを用いた送風音の能動消音技術は、あくまでファン騒音の低減のみ可能なだけであり、ファン送風の音に快適など人にプラスとなる方向についての工夫は無い。そのため騒音値が低くても安静・安眠を妨げる不快感の改善が必ずしも期待できない。前記特許文献２には、ファン送風の自然音化（快適音化）のほか、睡眠誘発・涼感暖感誘発の音の付加など人にプラスとなる工夫がある。しかし、音放射デバイスを送風経路内に設置する構成であるため、熱・水分・ホコリなどデバイスの放音性能を低下させる要因の影響を受けやすく、長時間の使用に際し掃除などこまめなメンテナンスが必要となる。前記特許文献３についてはファンの羽根そのものの振動音が送風音に対し優勢な場合の工夫であるが、例えば空気調和機の場合、立ち上がり運転後の温度維持運転（中間能力運転）時では羽根振動音が優勢となるほどファンを高速に回転動作させることはない。特に就寝時の動作ではさらに低速で動作させる。そのため本出願の課題解決の方法として適さない。前記特許文献４については、送風音とは独立にスピーカから快適な音を発するものであり、送風音そのものの低減および音の改善効果は得られない。そのため、送風音に起因する安静・安眠を妨げる不快感について、その改善が必ずしも期待できない。
【０００５】
本発明は、前記の問題点に鑑みてなされたものであり、その目的は、ユーザをリラックスした状態や眠りやすい状態へ誘導する翼列部を備えた装置等を実現することにある。
【課題を解決するための手段】
【０００６】
上記の課題を解決するために、本発明に係る装置は、複数の翼からなる翼列を含む第１の翼列部を備えた装置であって、上記第１の翼列部の駆動時に発生する第１の音の周波数と、上記装置が備えているか、または他の装置が備えている、複数の翼からなる翼列を含む第２の翼列部の駆動時に発生する第２の音の周波数との差が、脳波の誘導周波数、心拍数の誘導周波数、及び呼吸数の誘導周波数のうち何れかになるように構成されている構成である。
【発明の効果】
【０００７】
本発明の一態様によれば、翼列部を備えた装置は、２つの音の周波数の差異に相当する周波数の音が脳波との同調作用を生じ、リラックスや眠りやすい状態へ人の状態を誘導することが出来るという効果を奏する。
【図面の簡単な説明】
【０００８】
【図１】本発明の第１の実施形態に係る扇風機の全体構成を示す概略図である。
【図２】本発明の第１の実施形態に係る扇風機の要部構成の一例を示すブロック図である。
【図３】本発明の第１の実施形態に係る扇風機の１つのプロペラファンからの送風音を周波数解析して得られた周波数と騒音レベルの相関関係を示すグラフである。
【図４】本発明の第１の実施形態に係る扇風機の２つの送風ファンの翼通過音によって発生するうなりを示す模式図である。
【図５】本発明の第１の実施形態に係る扇風機の送風動作時の風の流れを示す概略図である。
【図６】本発明の第１の実施形態に係る扇風機の２つの送風ファンの回転軸が互いに平行であることを示す模式図である。
【図７】脳波の種類と周波数、及び特徴についてまとめた図である。
【図８】本発明の第２の実施形態に係る扇風機の送風動作時の風の流れを示す概略図である。
【図９】本発明の第２の実施形態に係る扇風機の送風動作時の風の流れを示す概略図である。
【図１０】本発明の第２の実施形態に係る扇風機がユーザにバイノーラルビート音提供することを示す概略図である。
【図１１】本発明の第２の実施形態に係る扇風機の送風動作時の風の流れを示す概略図である。
【図１２】本発明の第３の実施形態に係る扇風機の送風動作時の風の流れを示す概略図である。
【図１３】呼吸数の誘導周波数および心拍数の誘導周波数を示す図である。
【図１４】本発明の第５の実施形態に係る扇風機の要部構成の一例を示すブロック図である。
【図１５】本発明の第６の実施形態に係る空気調和機の室内機の全体構成を示す概略図である。
【図１６】本発明の第６の実施形態に係る空気調和機の室内機の送風動作時の風の流れを示す概略図である。
【図１７】本発明の第７の実施形態に係る空気調和機の室内機を示す概略図である。
【図１８】本発明の第７の実施形態に係る空気調和機の室内機の要部構成の一例を示すブロック図である。
【図１９】本発明の第８の実施形態に係る空気調和機の室内機を示す概略図である。
【図２０】本発明の第８の実施形態に係る空気調和機の室内機の要部構成の一例を示すブロック図である。
【図２１】本発明の第９の実施形態に係る換気扇の全体構成を示す正面図である。
【図２２】本発明の第９の実施形態に係る換気扇の全体構成を示す斜視図である。
【図２３】本発明の第９の実施形態に係る換気扇の構成、および換気扇からうなり音を発生させる処理の流れを示す図である。
【図２４】本発明の第９の実施形態に係る換気扇を備えた空間の側面図である。
【図２５】本発明の第９の実施形態に係る翼列部を備えた装置を含むシステムが適用された空間の模式図である。
【図２６】本発明の第９の実施形態に係る翼列部を備えた装置を含むシステムが適用された空間において送風音が聞こえる範囲を示す概略図である。
【図２７】本発明の第１０の実施形態に係る翼列部を備えた装置を含むシステムが適用された空間の模式図である。
【図２８】本発明の第１０の実施形態に係る翼列部を備えた装置を含むシステムが適用された空間において送風音が聞こえる範囲を示す概略図である。
【図２９】本発明の第１１の実施形態に係る翼列部を備えた装置を含むシステムが適用された空間の模式図である。
【図３０】本発明の第１１の実施形態に係る翼列部を備えた装置を含むシステムが適用された空間において送風音が聞こえる範囲を示す概略図である。
【図３１】本発明の第１２の実施形態に係る翼列部を備えた装置を含むシステムが適用された空間の模式図である。
【図３２】本発明の第１２の実施形態に係る翼列部を備えた装置を含むシステムが適用された空間において送風音が聞こえる範囲を示す概略図である。
【図３３】本発明の第１３の実施形態に係る翼列部を備えた装置を含むシステムが適用された空間の模式図である。
【図３４】本発明の第１３の実施形態に係る翼列部を備えた装置を含むシステムが適用された空間において送風音が聞こえる範囲を示す概略図である。
【図３５】本発明の第１４の実施形態に係る翼列部を備えた装置を含むシステムが適用された空間の模式図である。
【図３６】本発明の第１５の実施形態に係る翼列部を備えた装置を含むシステムと、当該システムが適用された空間の模式図である。
【図３７】本発明の第１６の実施形態に係る翼列部を備えた装置を含むシステムと、当該システムが適用された空間の模式図である。
【図３８】本発明の第１７の実施形態に係る翼列部を備えた装置を含むシステムと、当該システムが適用された空間の模式図である。
【図３９】本発明の第１８の実施形態に係る翼列部を備えた装置を含むシステムと、当該システムが適用された空間の模式図である。
【図４０】本発明の第１９の実施形態に係る翼列部を備えた装置を含むシステムと、当該システムが適用された空間の模式図である。
【図４１】本発明の第２０の実施形態に係る翼列部を備えた装置を含むシステムと、当該システムが適用された空間の模式図である。
【図４２】本発明の第２１の実施形態に係る周波数発生装置の全体構成を示す概略図である。
【図４３】本発明の第２１の実施形態に係る周波数発生装置の外観図である。
【図４４】本発明の第２１の実施形態に係る周波数発生装置が設置される主な場所についての概略図である。
【図４５】本発明の第２１の実施形態に係る周波数発生装置を設置した図の概略図である。
【図４６】本発明の第２２の実施形態に係る風力発電装置のナセル部分の外部に設置された周波数発生装置の側面図である。
【図４７】本発明の第２３の実施形態に係る風力発電装置のタワーの外部に設置された周波数発生装置の側面図である。
【図４８】本発明の第２４の実施形態に係る風力発電装置のナセルに設置された周波数発生装置の側面図である。
【図４９】本発明の第２５の実施形態に係る風力発電装置付近の地表に設置された周波数発生装置の側面図である。
【図５０】本発明の第２６の実施形態に係る複数の風力発電装置を有する風力発電施設７の付近に１つの周波数発生装置６を設置した概略図である。
【図５１】本発明の第２７の実施形態に係る複数の風力発電装置を有する風力発電施設からの騒音が聞こえる、ユーザを含む騒音受容者が生活する地域に１つの周波数発生装置を設置した概略図である。
【図５２】本発明の第２８の実施形態に係る工場施設の付近に１つの周波数発生装置を設置した概略図である。
【図５３】本発明の第２９の実施形態に係る工場施設と工場施設からの騒音が聞こえる室内に１つの周波数発生装置を設置した概略図である。
【図５４】本発明の第３０の実施形態に係る工場施設内に１つの周波数発生装置を設置した概略図である。
【図５５】本発明の第３１の実施形態に係る建設現場の付近に１つの周波数発生装置を設置した概略図である。
【図５６】本発明の第３２の実施形態に係る建設現場と建設現場からの騒音が聞こえる室内に１つの周波数発生装置を設置した概略図である。
【図５７】本発明の参考例１に係る翼列部を備えた装置を含むシステムが適用された空間の模式図である。
【図５８】本発明の参考例２に係る翼列部を備えた装置を含むシステムが適用された空間の模式図である。
【図５９】本発明の参考例２に係る翼列部を備えた装置を含むシステムが適用された空間において送風音が聞こえる範囲を示す概略図である。
【発明を実施するための形態】
【０００９】
以下、図面を参照し、本発明の実施の形態を詳しく説明する。なお、説明の便宜上、図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１０】
［第１の実施形態］
＜扇風機の概要＞
本実施形態に係る、送風装置である扇風機１の概要について、図１を用いて説明する。図１は、本実施形態に係る、送風装置である扇風機１の全体構成を示す概略図である。図１の（ａ）は扇風機１の正面図であり、図１の（ｂ）は扇風機１の上面図であり、図１の（ｃ）は扇風機１の側面図である。
【００１１】
図１の（ａ）は、扇風機１を正面から見た図を示す。図示の例において、扇風機１は、複数の羽根で構成された翼列を備えた翼列部である第１送風ファン１４および第２送風ファン１５と、各々の送風ファンを回転駆動する翼列駆動部である第１送風ファン駆動部１２および第２送風ファン駆動部１３とを備えている。本実施形態において、第１送風ファン１４および第２送風ファン１５はともにプロペラファンである。なお、第１送風ファン駆動部１２および第２送風ファン駆動部１３は、第１送風ファン１４および第２送風ファン１５を回転駆動させることが可能な構成であればどのようなものであってもよい。例えば、第１送風ファン駆動部１２および第２送風ファン駆動部１３は、ファンモーターであってもよい。扇風機１は、さらに、第１送風ファン１４および第２送風ファン１５と、第１送風ファン駆動部１２および第２送風ファン駆動部１３とを所定の高さに位置させるように支持する柱状部を備え、柱状部と連結し扇風機１の姿勢を支持する台座部を備える。ここで、台座部には、ユーザが操作を行う操作部であるスイッチが設けられ、また、スイッチからの操作信号を受け、第１送風ファン駆動部１２および第２送風ファン駆動部１３の駆動を制御する制御部１１（図示しない）が設けられていてもよい。制御部１１は、扇風機１の各部を統括して制御するものであり、例えばマイコンである。本実施形態において、制御部１１は、第１送風ファン駆動部１２および第２送風ファン駆動部１３に互いに異なる制御信号を供給する。また、第１送風ファン１４および第２送風ファン１５の周囲には、ファンの回転時にユーザが接触しないためのファンガードが設けられている。
【００１２】
＜扇風機の動作＞
本実施形態に係る扇風機１の動作について、図２を用いて説明する。図２は、本実施形態に係る扇風機１の要部構成の一例を示すブロック図である。なお、本実施形態において、第１送風ファン駆動部１２および第２送風ファン駆動部１３は、ともに制御部１１からの回転数信号の伝達により回転数制御が実施されるＤＣモーターであり、制御信号である回転数指令値が変わることでモーター回転数が変化する。本実施形態に係る扇風機１は、制御部１１からの回転数信号の伝達により回転数制御を実施することにより、第１送風ファン１４による送風音の周波数と、第２送風ファン１５による送風音の周波数とを異ならせる。
【００１３】
まず、扇風機１は、操作部（図示せず）からの指示により制御部１１にて所定のモーター回転数に対応した回転数指令値を第１送風ファン駆動部１２および第２送風ファン駆動部１３の両方に送る。このとき、制御部１１は、第１送風ファン駆動部１２には値ａの回転数指令値を送り、第２送風ファン駆動部１３には値ａ＋Δａの回転数指令値を送る。
【００１４】
次に、第１送風ファン駆動部１２は制御部１１より送られてきた回転数指令値ａに応じて回転数ｒでの回転駆動を行う。そして、第２送風ファン駆動部１３は制御部１１より送られてきた回転数指令値ａ＋Δａに応じて回転数ｒ＋Δｒでの回転駆動を行う。
【００１５】
そして、第１送風ファン１４は、第１送風ファン駆動部１２の回転駆動に伴い、回転数ｒにて回転する。第２送風ファン１５は第２送風ファン駆動部１３の回転駆動に伴い、回転数ｒ＋Δｒにて回転する。
【００１６】
第１送風ファン１４および第２送風ファン１５の回転により各々から風が送られ、それに伴う送風音が各々発生する。ここで、図３を用いて、送風音の特徴について説明する。図３は、１つのプロペラファンからの送風音を周波数解析によって周波数（Ｈｚ）と騒音レベル（ｄＢ［Ａ］）のグラフで表したものである。図３に示す通り、一般的にプロペラファンによる送風音の騒音レベルの周波数分布は、主に風の流れに由来する広い周波数帯に広がる音（以下、流体音と呼ぶ）と、プロペラファンの翼列における圧力変動に由来する狭い帯域の音（以下、翼通過音と呼ぶ）の２つが合成されたものとなっている。翼通過音は翼枚数ｎ（枚）とファンの回転数ｒ（ｒｐｍ）と相関し、翼通過周波数と呼ばれる、（ｎ×ｒ）／６０にて計算される周波数（Ｈｚ）に狭い周波数分布のピークを有する音である。図３に示すように翼通過音は送風音の周波数分布の中でも高いピークを有し、そのため実際の聴覚上においても流体音に交じって単調音のように聞こえてくる音である。本実施形態における一実施例の場合、プロペラファンの翼枚数は第１送風ファン１４および第２送風ファン１５ともに７枚である。そして、第１送風ファン１４の回転数ｒは７８０ｒｐｍ（風量操作における強・中・弱のうち中相当の風量の場合）であり、第１送風ファン１４および第２送風ファン１５の回転数の差異Δｒが６０ｒｐｍ（従って第２送風ファン１５の回転数はｒ＋Δｒ＝８４０ｒｐｍ）となるよう制御部１１により制御されることを考える。このとき、第１送風ファン１４の翼通過周波数は７×７８０／６０＝９１Ｈｚであり、第２送風ファン１５の翼通過周波数は７×８４０／６０＝９８Ｈｚとなる。
【００１７】
図２では、第１送風ファン１４および第２送風ファン１５の送風音のうち翼通過音として聞こえる音を模式的に示している。第１送風ファン１４による送風からはファンの回転数ｒに応じた周波数ｆに狭いピークを有する翼通過音が発生し、第２送風ファン１５による送風からはファンの回転数ｒ＋Δｒに応じた周波数ｆ＋Δｆに狭いピークを有する翼通過音が発生する。本実施形態における一実施例の場合、第１送風ファン１４の翼通過音のピーク周波数ｆは９１Ｈｚ、第２送風ファン１５の翼通過音のピーク周波数ｆ＋Δｆは９８Ｈｚであり、従ってその両者の周波数の差異であるΔｆは７Ｈｚとなる。
【００１８】
一般的に、周波数がわずかに異なる２つの音が干渉すると、振幅がゆっくり周期的に変わる合成波としての音が生じる、うなりとよばれる現象が発生する。うなりによる音の周波数は、２つの音の周波数の差であり、合成前の２つの音のいずれの周波数成分にもピークとして現れない周波数となる。図４に、本実施形態に係る扇風機１の２つの送風ファンの翼通過音によって発生するうなりを示す模式図を示す。本実施形態における一実施例の場合、前記２つの送風ファンの翼通過音のピーク周波数の差異Δｆは７Ｈｚであるため、両者の音が干渉することにより７Ｈｚの音（以下うなり音と呼ぶ）が発生する。すなわち、本実施形態に係る扇風機１は、各翼列駆動部に対して、互いに異なる制御信号を供給することにより、各翼列部による送風音の周波数の差に相当する周波数の音を発生させることができる。
【００１９】
図５を用いて、本実施形態に係る扇風機１の送風動作時の風の流れを説明する。図５は、本実施形態に係る扇風機１の送風動作時の風の流れを示す概略図である。ここで、送風ファンにより送り出される風が流れている領域のことを送風域と呼ぶこととする。送風動作時は、第１送風ファン１４および第２送風ファン１５の下流部に、下流に行くほど幅が広くなる送風域がそれぞれ存在する。なお、図６に示すように、本実施形態において、第１送風ファン１４および第２送風ファン１５はともにファンの回転軸が平行となるよう設けられている。すなわち、風の流れの向きが同方向となるよう２つの送風ファンが横並びに設けられている。このとき、２つの送風ファンの送風域は前述の通り下流に行くほど幅が広がる。そのため、送風ファンの下流近傍においては２つの送風域が重なり合うことが無くても、下流に行くと２つの送風域の重なり合いが起こり始め、更に下流に行くほど重なり合う領域の幅が広くなっていく。以下、この送風域の重なり合う領域のことを直接干渉域と呼ぶこととする。送風音は基本的に送風域が音源となって広がるため、送風域の外にいる人（図中ではユーザと記載）でも送風音を聴覚で感じることができる。しかし、送風域内に居る人は、音源からの音を直接感じることとなるため、送風域外と比べてより大きく明確に送風音を聴覚で感じることとなる。直接干渉域は前述の通り２つ送風ファンからの風の流れが重なり合う領域である。すなわち、直接干渉域は、送風音のうちの翼通過音が重なり合う領域となるため、この直接干渉域が前記の７Ｈｚの音（うなり音）の音源となる。したがって、人は直接干渉域の外でもこのうなり音を聴覚で感じることができるが、直接干渉域内にいる場合は音源からの音を直接感じることとなるため、直接干渉域外と比べてより大きく明確にうなり音を聴覚で感じることとなる。
【００２０】
直接干渉域が伝達するうなり音に好適である周波数について、図７を用いて説明する。図７は、脳波の種類と周波数、及び特徴についてまとめた図である。図示の例において、脳波の種類がγ波の場合、その周波数は２６〜７０Ｈｚであって、ユーザは興奮状態にある。脳波の種類がβ波の場合、その周波数は１４〜３８Ｈｚであって、ユーザは通常の日常生活の状態にある。脳波の種類がα波の場合、その周波数は８〜１４Ｈｚであって、ユーザはリラックス状態にある。脳波の種類がθ波の場合、その周波数は４〜８Ｈｚであって、ユーザは入眠時の状態にある。脳波の種類がδ波の場合、その周波数は０．５〜４Ｈｚであって、ユーザは深い睡眠状態にある。
【００２１】
図７に示すように、脳波の周波数が低いほど、身体状態は安静な状態となっている。特に、脳波が周波数８Ｈｚ以下のθ波、δ波の場合には、睡眠状態となっており、４Ｈｚ以下のδ波の場合には、深い睡眠状態となっている。このため、ユーザの睡眠状態を制御するためには、大まかには、脳波を低い周波数へと導けば、より深い睡眠状態へと導くことができ、脳波を高い周波数へと導けば、より浅い睡眠状態へと導くことができる。
【００２２】
本実施形態において、例えば図５のように直接干渉域にユーザが居る場合、より明瞭に前記の７Ｈｚの音（うなり音）を聴覚で感じる。ここで、周波数７Ｈｚは脳波のθ波の領域の周波数である、誘導周波数である。誘導周波数は、脳波の周波数に近似した周波数であり、該誘導周波数の音を聞くと、脳波が該誘導周波数に同調するものである。本実施形態において、ユーザは聴覚からの脳波の同調誘導の作用により、７Ｈｚの音（うなり音）を聴覚で感じることで睡眠に適した脳波を誘導することが出来る。従って、本実施形態に係る扇風機１は、ユーザに対し、快適な眠りに適した音として、送風音を聴覚で感じさせることができる。また、この音によるθ波の脳波誘導に伴い、ユーザを睡眠へと誘うことができる。すなわち、本実施形態に係る扇風機１は、送風音の重ね合わせによって生じる低周波音が脳波との同調作用を生じ、リラックスや眠りやすい状態へ人の状態を誘導することが出来るという効果を奏する。
【００２３】
またさらに、本実施形態に係る扇風機１は、２つの送風ファンを用いて風を送るため、各々の送風ファンについて、送風ファンが１つの場合よりも低い回転数で、同じ風量の風を送ることが出来る。これは、送風ファンの翼が動く速度について、送風ファンが１つの場合よりも遅いことを示すため、本実施形態に係る扇風機１は、翼が風を送る際に発生する流体音や翼通過音もファンが１つの場合に比べて小さくすることが出来る。従って、例えば１つの送風ファンと、該送風ファンの送風音に干渉し、うなり音を生じさせる重ね合わせ音を発生するための音源とを備えた構成のものと比べても、送風音そのものの低減を図ることが出来るという利点がある。さらに、上記のうなり音の音量も低減されるため、上記のうなり音をより適切・快適に聴覚で感じさせることが出来るといった利点がある。
【００２４】
なお、本実施形態においては一例として２つの送風ファンの翼通過音のピーク周波数の差異Δｆが７Ｈｚの場合を示したが、それに限らず図７に示すα波（８〜１４Ｈｚ）の周波数領域の場合や、δ波（０．５〜４Ｈｚ）の周波数領域の場合であってもよい。α波（８〜１４Ｈｚ）の周波数領域の場合ではリラックス時の脳波の同期誘導が行われ、リラックスに適した音をユーザに感じさせ、脳波誘導によるリラックス状態への誘導の効果が得られる。δ波（０．５〜４Ｈｚ）の周波数領域の場合では、深い睡眠時の脳波の同期誘導が行われ、より深い睡眠に適した音をユーザに感じさせ、脳波誘導による深い睡眠状態への誘導の効果が得られる。
【００２５】
また、本実施形態においては一例として送風ファン駆動部として制御部１１からの回転数信号の伝達により回転数制御が実施されるＤＣモーターの場合を示したが、それに限らない。送風ファン駆動部は、制御部１１から伝達される電圧の制御により回転数制御が実施されるＤＣモーターであってもよく、またはＡＣモーターの場合であってもよい。
【００２６】
［第２の実施形態］
＜扇風機の構成＞
本実施形態に係る扇風機１の構成について、図８を用いて説明する。図８は、本実施形態に係る扇風機１の送風動作時の風の流れを示す概略図である。本実施形態に係る扇風機１は、送風ファンの風の向きを特徴づけるファンの回転軸の向きを変更可能である２つの送風部が、前期柱状部の上方に回動可能に設けられている点で前記第１の実施形態と異なる。ここで、第１送風部２１および第２送風部２２は、送風ファン、ファンガード、送風ファン駆動部、モーターケースから構成される。図示の例において、第１送風部２１および第２送風部２２は回動可能な構成であればどのようなものであってもよい。例えば、第１送風部２１および第２送風部２２の回動は手動によって行われてもよいし、例えば回動駆動用のモーターを更に備えて操作部および制御部１１による回転駆動制御を行ってもよい。
【００２７】
＜扇風機の動作＞
本実施形態に係る扇風機１の動作について、図８を用いて説明する。
【００２８】
図８に示す本実施形態の一例は、第１送風部２１、第２送風部２２ともに、各送風部の風向角Ｄａ、Ｄｂを正面方向に対して内向き（柱状部のある向き、もしくは扇風機本体の真中の方向を向く向き）としたものである。この場合、第１送風部２１および第２送風部２２による送風域の重なり合いは、前記第１の実施形態の場合に比べてより広い領域で行われる。このとき、送風域の重なり合う領域である直接干渉域が前記第１の実施形態より広範囲となるため、ユーザが明確にうなり音を聴覚で感じられる領域が広くなる、という利点がある。また、直接干渉域はうなり音の音源であり、その範囲が広くなることによりうなり音の大きさも大きくなるため、より明確にうなり音を聴覚で感じることが出来る。特にユーザが直接干渉域の外にいる場合、図５の例（両方の送風ファンとも送風の向きが正面）よりも直接干渉域が広くうなり音も大きくなるため、図５の例と比べると、より明瞭にうなり音を聴覚で感じることが出来るという利点がある。本実施形態に係る扇風機１は、制御部１１が、第１の翼列部の送風方向と、第２の翼列部の送風方向とを変更することにより、複数の翼列部のうち第１の翼列部による送風音と、複数の翼列部のうち第２の翼列部による送風音との間の周波数の差異に相当する周波数の音が聞こえるように上記複数の翼列部を制御することができる。
【００２９】
本実施形態に係る扇風機１がユーザにうなり音を提供する別の例について、図９および図１０を用いて説明する。図９および図１０は、本実施形態に係る扇風機１の送風動作時の風の流れを示す概略図である。図９に示す本実施形態の一例において、扇風機１は、第１送風部２１および第２送風部２２がともに、送風部の風向角Ｄａ、Ｄｂを正面方向に対して充分に外向き（柱状部のある向きとは逆の向き、もしくは扇風機本体の真中の方向とは逆の向き）となっている。ここで“充分に外向き”の示す意味としては、各々の送風域における領域拡大角度（前述の通り下流部に行くほど送風域は拡大し、その際の送風方向に対する拡大の角度）を考慮しても、両者の送風域の重なり合いが起きない程度に外向きであることを表している。この場合、直接干渉域が生じないため、うなり音を明確に聴覚で感じることが出来る領域が生成されない。従って、例えば起床時など、睡眠状態から起床状態に移行したい場合などで一時的にうなり音を目立たなくすることが出来る利点がある。
【００３０】
ここで、直接干渉域が生じない場合であってもユーザにうなり音を提供する構成について、図１０を用いて説明する。図示の例において、ユーザの左耳が第１送風部２１の送風域、右耳が第２送風部２２の送風域にそれぞれ入るよう、ユーザの位置と送風域の位置との位置関係を設定する。この場合、該ユーザは、直接干渉域による物理的なうなり音を聴覚で感じることは無いものの、左右の耳の音を統合的に知覚する際に感じる、いわゆるバイノーラルビートと呼ばれる前記うなり音と同等の周波数（本実施形態の例では７Ｈｚ）の音を感じる。このバイノーラルビート音によっても前記のうなり音と同様に、脳波の同調誘導の作用により睡眠に適した脳波を誘導することが出来るため、ユーザに対し、快適な眠りに適した音として、送風音を聴覚で感じさせることができる。また、この音によるθ波の脳波誘導に伴い、ユーザを睡眠へと誘うことができる。さらに、図１０の場合の利点として、物理的なうなり音が生成されないため、特定のユーザに対してのみこの効果を生じさせることが出来る。すなわち、複数のユーザが存在した場合、効果を及ぼしたいユーザの選択が可能となる、という利点がある。
【００３１】
さらに、本実施形態に係る扇風機１の２つの送風ファンによる送風域の外にユーザがいる場合について、図１１を用いて説明する。図１１は、本実施形態に係る扇風機１の送風動作時の風の流れを示す概略図である。図１１に示す本実施形態の一例は、第１送風部２１および第２送風部２２がともに、送風部の風向角Ｄａ、Ｄｂを正面方向に対してユーザの居る向きとは逆の向きとしたものである。この場合、第１の実施形態に比べて明確にはうなり音を聴覚で感じることは出来ないものの、ユーザが送風に直接当たることなく、うなり音だけは聴覚で感じることができる、といった利点がある。
【００３２】
［第３の実施形態］
＜扇風機の構成＞
本実施形態に係る扇風機１の構成について、図１２を用いて説明する。図１２は、本実施形態に係る扇風機１の送風動作時の風の流れを示す概略図である。本実施形態に係る扇風機１の主な構成は前記第２の実施形態と同様であるが、送風部の回動は操作部および制御部１１による回転駆動制御を受けて回転駆動用のモータにより行われる。さらに、本実施形態に係る扇風機１は、本体の中央部付近（図１２に示す例では柱状部）に設けられたユーザ位置計測部３１を備えている点で前記第２の実施形態と異なる。ユーザ位置計測部３１は、ユーザ測定位置との間の距離および角度を測定し、制御部１１へ提供する。ユーザ位置計測部３１は、ユーザの位置を特定する特定部として動作し、ユーザ測定位置との間の距離および角度を測定できるのであればどのような構成であってもよい。例えば、ユーザ位置計測部３１は、測距センサーおよび角度センサーから構成されてもよい。
【００３３】
＜扇風機の動作＞
本実施形態に係る扇風機１の動作について、図１２を用いて説明する。図１２に示す本実施形態の一例は、測距センサーおよび角度センサーから構成されるユーザ位置計測部３１により、ユーザ測定位置と扇風機１の間の距離および角度をユーザ位置測距長およびユーザ位置測距角度といった情報として測定する。制御部１１は、ユーザ位置測距長およびユーザ位置測距角度により、扇風機１とユーザとの位置および向きの関係、すなわち扇風機１に対するユーザの相対位置を把握し、それに応じて第１送風部２１の風向角Ｄａおよび第２送風部２２の風向角Ｄｂを決定する。そして、制御部１１が送風部の回転駆動用のモーターを回転駆動制御することより、第１送風部２１および第２送風部２２をユーザ測定位置に向ける。この場合、扇風機１は、図８にて示した第２の実施形態の一例と同様、ユーザの周囲に広範囲な直接干渉域を生じさせより明確にうなり音を聴覚で感じることが出来る状況を自動で設定することが出来る、という利点がある。本実施形態に係る扇風機１は、制御部１１が、第１の翼列部の送風方向と、第２の翼列部の送風方向とを、ユーザ位置計測部３１が特定した位置に向くように制御する。よって、ユーザ位置計測部３１が測定したユーザ測定位置において、複数の翼列部のうち第１の翼列部による送風音と、複数の翼列部のうち第２の翼列部による送風音との間の周波数の差異に相当する周波数の音が聞こえるように複数の翼列部を制御することができる。
【００３４】
なお、本実施形態に係る扇風機１は、図１２に示すような図８の一例と同様の状況のみならず、図９〜図１１のいずれかの一例と同様の状況を生じさせるよう、第１送風部２１の風向角Ｄａおよび第２送風部２２の風向角Ｄｂを制御部１１にて決定してもよい。その際、当該決定は操作部からのユーザ入力に基づき行われてもよい。このとき、扇風機１は、ユーザが特定の意図（図８のように明確にうなり音を感じたい、図９のようにうなり音を抑えたい、図１０のように特定のユーザに対してのみ効果を生じさせたい、図１１のように風を直接当てずにうなり音のみを明確にユーザに感じさせたい、など）を操作部に反映するだけで自動で風向角Ｄａ、Ｄｂが決定し送風部が回動され所望の状況を生じさせることが出来る、といった利便性の面での利点がある。
【００３５】
［第４の実施形態］
＜扇風機の構成＞
本実施形態に係る扇風機１の構成について、本実施形態に係る扇風機１は、主な構成は第１の実施形態と同様であるが、２つの送風ファンの翼通過音のピーク周波数の差異Δｆの設定が前記各実施形態と異なる。ここで、本実施形態に係る扇風機１が提供するうなり音に好適である周波数について、図１３を用いて説明する。図１３の（ａ）は、呼吸数の誘導周波数を示し、図１３の（ｂ）は、心拍数の誘導周波数を示す。これらは図７に示した脳波の誘導周波数よりも更に低い周期の周波数である。
【００３６】
図１３の（a）および（ｂ）において、３．３３Ｈｚ以下に、呼吸数の誘導周波数と心拍数の誘導周波数が重複する領域が存在する。このとき、当該領域内の周波数を備えるうなり音は、基本的にユーザをリラックスさせる効果が優先して現れる。さらに、誘導周波数を備える音によって誘導される対象は、脳波、心拍、呼吸の順で誘導されやすいことが知られている。例えば、１．２０Ｈｚの周波数を備えるうなり音をユーザが聞いた場合、図７に従ってδ波の脳波に対応する、深い睡眠に誘導される効果がもっとも強く表れる。次に、図１３の（ｂ）に従って安静時の心拍数に対応する、リラックス状態へ誘導される効果が表れる。そして、図１３の（ａ）に従って運動時の呼吸数に対応する、活動、興奮状態へ誘導される効果は表れない。
【００３７】
本実施形態に係る扇風機１の一例として、プロペラファンの翼枚数は第１送風ファン１４および第２送風ファン１５ともに７枚であるものとする。そして、第１送風ファン１４のファンの回転数ｒは７８０ｒｐｍ、第１送風ファン１４と第２送風ファン１５との間の回転数の差異Δｒは１０ｒｐｍ（従って第２送風ファン１５の回転数はｒ＋Δｒ＝７９０ｒｐｍ）となるよう制御部１１により制御する。この場合、第１送風ファン１４の翼通過周波数は７×７８０／６０＝９１Ｈｚ、第２送風ファン１５の翼通過周波数は７×７９０／６０＝９２．１６Ｈｚとなる。従って、前記２つの送風ファンの翼通過音のピーク周波数の差異Δｆは１．１６Ｈｚとなり、これはリラックス時の心拍数の誘導周波数（０．８３〜１．３３Ｈｚ）に相当する。本実施形態に係る扇風機１は、この周波数の音をユーザへ提供することにより、該ユーザに対してリラックス時の心拍数への同期誘導が行われ、リラックスに適した音をユーザに感じさせると共に、心拍数誘導によってリラックス状態へ誘導できるという効果を奏する。
【００３８】
さらにまた一例として、プロペラファンの翼枚数は第１送風ファン１４および第２送風ファン１５ともに７枚であり、第１送風ファン１４の回転数ｒが７８０ｒｐｍである場合を考える。さらに、第１送風ファン１４および第２送風ファン１５の回転数の差異Δｒは１ｒｐｍ（従って第２送風ファン１５のファンの回転数はｒ＋Δｒ＝７８１ｒｐｍ）となるよう制御部１１により制御されることを考える。この場合、第１送風ファン１４の翼通過周波数は７×７８０／６０＝９１Ｈｚであり、第２送風ファン１５の翼通過周波数は７×７８１／６０＝９１．１１Ｈｚとなる。従って、前記２つの送風ファンの翼通過音のピーク周波数の差異Δｆは０．１１Ｈｚとなり、これは深呼吸時などリラックス時の呼吸数の誘導周波数（０．０５〜０．２０Ｈｚ）に相当する。本実施形態に係る扇風機１は、この周波数の音をユーザへ提供することにより、該ユーザに対してリラックス時の呼吸数への同期誘導を行う。従って、リラックスに適した音をユーザに感じさせると共に、呼吸数誘導によって深呼吸時などのようなリラックス状態へ誘導できるという効果を奏する。
【００３９】
［第５の実施形態］
＜扇風機の構成＞
本実施形態に係る扇風機１の構成について、図１４を用いて説明する。図１４は、本実施形態に係る扇風機１の要部構成の一例を示すブロック図である。本実施形態に係る扇風機１は、制御部１１が制御電圧として１種類の電圧（電圧Ｖ）のみを伝達し、かつ制御部１１と第２送風ファン駆動部１３との間に、電気抵抗体４１をさらに備える点で前記各実施形態と異なる。電気抵抗体４１は、制御部１１が出力する制御電圧を降下させる抵抗である。図示の例において、電気抵抗体４１は、制御部１１から入力された電圧Ｖを電圧降下させ、電圧Ｖ−ΔＶとして出力する。
【００４０】
＜扇風機の動作＞
本実施形態に係る扇風機１の動作について、図１４を用いて説明する。
【００４１】
まず、制御部１１から第１送風ファン駆動部１２および電気抵抗体４１へ、同一の電圧Ｖが伝達される。ここで、電圧Ｖは、第１送風ファン駆動部１２にはそのまま電圧値Ｖとして送られ、第２送風ファン駆動部１３には電気抵抗体４１の作用により電圧値Ｖ-ΔＶとして送られる。これにより、第１送風ファン駆動部１２と第２送風ファン駆動部１３との間に回転数の差異Δｒが生じ、従って第１送風ファン１４と第２送風ファン１５との間に回転数の差異Δｒが生じる。結果として、本実施形態に係る扇風機１において、送風音に含まれる翼通過音のピーク周波数の差異Δｆが生じる。この差異Δｆにより前記第１の実施形態と同様の作用効果が得られる。
【００４２】
本実施形態においては、制御部１１からの伝達信号（電圧）が１種類のみで良いため、制御部１１の構成を簡易にすることが出来るという利点がある。また電気抵抗体４１も例えばトランジスタなどの電気部品を利用すればよく、比較的簡易な構成で実現することが出来る。
【００４３】
なお、本実施形態では送風ファン駆動部をＤＣモーターとして想定していたが、例えば送風ファン駆動部がＡＣモーターであってもよい。なお、この場合は制御部１１と送風ファン駆動部との間に周波数変換部（周波数変換回路など）を設けることが好適である。周波数変換部は、制御部１１から伝達された一種類の周波数信号Ｆについて、第１送風ファン駆動部１２にはそのまま周波数Ｆとして送り、第２送風ファン駆動部１３には周波数変換部により周波数Ｆ-ΔＦとして送る、といった構成であってもよい。この場合においても、制御部１１からの伝達信号（周波数）が１種類のみで良いため、制御部１１の構成を簡易にすることが出来るという利点がある。
【００４４】
［第６の実施形態］
＜空気調和機の室内機の構成＞
本実施形態に係る空気調和機の室内機２の構成について、図１５を用いて説明する。図１５の（ａ）は本実施形態に係る空気調和機の室内機２の外観図であり、図１５の（ｂ）は本実施形態に係る空気調和機の室内機２の全体構成を示す概略図である。
【００４５】
図示の例によれば、本実施形態に係る空気調和機の室内機２は、複数の羽根で構成された翼列を備えた翼列部である第１送風ファン５１および第２送風ファン５２と、各々の送風ファンを回転駆動する翼列駆動部である第１送風ファン駆動部５３および第２送風ファン駆動部５４を備える。本実施形態において、第１送風ファン５１および第２送風ファン５２はともにクロスフローファンであり、第１送風ファン駆動部５３および第２送風ファン駆動部５４はともにファンモーターである。そして、空気調和機の室内機２は、２つの送風ファンにより送られる風を吹き出す吹出口５５をさらに備える。なお、図示しないが、本実施形態に係る空気調和機の室内機２には、ユーザが操作を行う操作部であるリモートコントローラー（図示しない）から発信された操作信号を受信する受信部（図示しない）が設けられている。また、操作信号を受けて送風ファン駆動部の駆動を制御する制御部５０である制御マイコン（図示しない）が設けられている。
【００４６】
＜空気調和機の室内機の動作＞
本実施形態に係る空気調和機の室内機２の動作について、図１５を用いて以下に説明する。なお、本実施形態に係る空気調和機の室内機２の動作は、前記第１の実施形態に係る扇風機１と同一である。
【００４７】
まず、制御部５０は、制御信号として、所定のモーター回転数に対応した回転数指令値を翼列駆動部である第１送風ファン駆動部５３および第２送風ファン駆動部５４の両方に送る。例えば、第１送風ファン駆動部５３には値ａの回転数指令値を送り、第２送風ファン駆動部５４には値ａ＋Δａの回転数指令値を送る。このとき、送風ファン駆動部における回転数指令値の差異Δａに伴って、第１送風ファン駆動部５３と第２送風ファン駆動部５４との間に、回転数の差異Δｒが生じる。そして、第１送風ファン５１と第２送風ファン５２との間に回転数の差異Δｒが生じる。結果として、翼列部である第１送風ファン５１および第２送風ファン５２がそれぞれ発生させた送風音に含まれる翼通過音のピーク周波数には、差異Δｆが生じる。本実施形態に係る空気調和機の室内機２は、この差異Δｆにより第１の実施形態と同様の作用効果が得られる。
【００４８】
本実施形態の利点について記載する。本実施形態の送風ファンを構成するクロスフローファンは、前記各実施形態の送風ファンを構成するプロペラファンに比べて翼列を形成する翼枚数を多くすることができる。例えば、第１の実施形態に示したプロペラファンの例では７枚であるのに対し、本実施形態の一例におけるクロスフローファンの翼枚数は３５枚である。なお、以下の説明において、第１送風ファン５１の翼枚数は３５枚であり、第２送風ファン５２の翼枚数も同じく３５枚であるとする。このとき、例えば、２つの送風ファンの翼通過音のピーク周波数の差異Δｆをリラックス時の脳波（α波）の誘導周波数（８〜１４Ｈｚ）に相当する７Ｈｚ程度に設定することを考える。この場合、前記のように、第１の実施形態ではファンの回転数について、第１送風ファン１４は７８０ｒｐｍ、第２送風ファン１５は８４０ｒｐｍとなるよう２つの送風ファン駆動部を制御する必要があった。しかし、本実施形態においては、第１送風ファン５１の翼通過周波数を３５×１５６／６０＝９１Ｈｚ、第２送風ファン５２の翼通過周波数を３５×１６８／６０＝９８Ｈｚとなるように、２つのファンの回転数をそれぞれ１５６ｒｐｍ、１６８ｒｐｍとすることにより実現できる。すなわち、本実施形態に係る空気調和機の室内機２は、前記第１の実施形態に係る扇風機１に比べて低い回転数で所望するうなり音を発生させることができるため、より弱い送風（少ない風量）でも前記の７Ｈｚの音（うなり音）を得ることが出来る。そのため、本実施形態に係る空気調和機の室内機２は、例えばユーザが眠りにつく際において、送風やその送風音全体の音量をより弱く、少なくすることが出来る。そして、それらの影響や個人の主観によって生じうる煩わしさ感をより抑えつつ、ユーザに対し、快適な眠りに適した音として、送風音を聴覚で感じさせることができる。また、この音によるθ波の脳波誘導に伴い、ユーザを睡眠へと誘うことができる。
【００４９】
本実施形態に係る空気調和機の室内機２において、吹出口５５は、複数の風向変更板およびこの風向変更板が回動自在に設置されている台座部からなる風向変更部を更に備える構成であってもよい。風向変更部を備える空気調和機の室内機２の構成について、図１６を用いて説明する。図１６は、本実施形態に係る空気調和機の室内機２の送風動作時の風の流れを示す概略図である。
【００５０】
図示の例において、空気調和機の室内機２は、吹出口５５における第１送風ファン５１の下流および第２送風ファン５２の下流の各々に対応する位置に第１風向変更部５６、第２風向変更部５７をそれぞれ設けてもよい。この場合、空気調和機の室内機２は、前記第２の実施形態における図８〜図１１のそれぞれと同じ状況を実現することが可能となる。したがって、本実施形態に係る空気調和機の室内機２は、前記第２の実施形態にて得られた効果と同様の作用効果を得ることが出来る。
【００５１】
［第７の実施形態］
＜空気調和機の室内機の構成＞
本実施形態に係る空気調和機の室内機２の構成について、図１７を用いて説明する。図１７は、本実施形態に係る空気調和機の室内機２を示す概略図である。本実施形態に係る空気調和機の室内機２は、主な構成は前記第６の実施形態と同様であるが、送風ファン６２および送風ファン駆動部６１を１つずつ備え、更に送風ファン６２が複数の翼列を備える点が異なる。送風ファン６２は、前記第６の実施形態と同様に、クロスフローファンである。ここで、図示の例において、送風ファン６２は回転方向と垂直な方向に、互いに平行である４つの翼列を備えており、４つの翼列は、２つの翼列ごとに、第１翼列部６３および第２翼列部６４と定義される。なお、本実施形態における一例では、第１翼列部６３と第２翼列部６４の翼枚数は、互いに異なっている。以下の説明では、第１翼列部６３に属する２つの翼列の翼枚数は３３枚であり、第２翼列部６４に属する２つの翼列の翼枚数は３５枚とする。
【００５２】
＜空気調和機の室内機の動作＞
本実施形態に係る空気調和機の室内機２の動作について、図１８を用いて説明する。図１８は、本実施形態に係る空気調和機の室内機２の要部構成の一例を示すブロック図である。なお、ここでは送風ファン駆動部６１は制御部５０からの回転数信号の伝達により回転数制御が実施されるＤＣモーターであり、回転数指令値が変わることでモーター回転数が変化する。
【００５３】
まず、制御部５０が、操作部（図示せず）からの指示に基づいて、送風ファン駆動部６１に回転数指令値ａを送信する。そして、送風ファン駆動部６１は、制御部５０より送られてきた回転数指令値ａに応じて回転数ｒでの回転駆動を行う。
【００５４】
送風ファン６２は、送風ファン駆動部６１の回転駆動に伴い、回転数ｒにて回転する。送風ファン６２の回転により各々から風が送られ、それに伴う送風音が各々発生する。本実施形態における一実施例の場合、送風ファン６２における翼枚数は第１翼列部６３では３３枚、第２翼列部６４では３５枚であり、ファンの回転数ｒは１５０ｒｐｍ（風量操作における強・中・弱のうち弱相当の風量の場合）とする。この場合、第１翼列部６３の翼通過周波数は３３×１５０／６０＝８２．５Ｈｚ、第２翼列部６４の翼通過周波数は３５×１５０／６０＝８７．５Ｈｚとなる。本実施形態における一実施例の場合、第１翼列部６３の翼通過音のピーク周波数ｆは８２．５Ｈｚ、第２翼列部６４の翼通過音のピーク周波数ｆ＋Δｆは８７．５Ｈｚであるため、その両者の周波数の差異であるΔｆは５Ｈｚとなる。この、周波数５Ｈｚは脳波のθ波の領域の周波数であるため、ユーザは聴覚からの脳波の同調誘導の作用により、５Ｈｚの音（うなり音）を聴覚で感じることで睡眠に適した脳波を誘導することが出来る。従って、本実施形態に係る空気調和機の室内機２は、前記第６の実施形態と同様、ユーザに対し、快適な眠りに適した音として、送風音を聴覚で感じさせることができる。また、この音によるθ波の脳波誘導に伴い、ユーザを睡眠へと誘うことができる。そして、本実施形態に係る空気調和機の室内機２は、送風ファン駆動部および送風ファンが各々１個あれば良いため、構成が簡易であるという利点がある。
【００５５】
なお、本実施形態に係る空気調和機の室内機２においては翼列の個数を４つとしたが、それに限らず複数個備えていてもよい。更に、第１翼列部６３、第２翼列部６４についても片側ともう片側の半分ずつに分かれているだけでなく、例えば片側から３３枚、３５枚、３３枚、３５枚などの順番のように交互に設けられていてもよい。ただし、翼通過音の重ね合わせによるうなり音をより明確に発生させるためには、隣り合う翼列部の群に含まれる翼列の個数は交互に入れ替わるのではなく、同数であることが望ましい。すなわち、上述の例によれば、片側から３３枚、３３枚、３５枚、３５枚の順番であることが望ましい。
【００５６】
［第８の実施形態］
＜空気調和機の室内機２の構成＞
本実施形態に係る空気調和機の室内機２の構成について、図１９を用いて説明する。図１９は、本実施形態に係る空気調和機の室内機２を示す概略図である。本実施形態に係る空気調和機の室内機２は、送風抵抗を伴う程度に風向を大幅に変更する、大きな板状の部材によって構成される送風路部材を吹出口に更に備える点で前記第６の実施形態と異なる。本実施形態に係る空気調和機の室内機２は、第１送風路部材７１および第２送風路部材７２による送風抵抗に微小差を生じさせることで送風ファンの回転数に微小差を生じさせ、結果として２つの送風ファンによる送風音を微小変化させる。第１送風路部材７１および第２送風路部材７２は、吹出口５５に回動可能に設けられた大きな板状の部材であり、吹出口５５における第１送風ファン５１の下流および第２送風ファン５２の下流の各々に対応する位置に設置されている。本実施形態において、第１送風路部材７１および第２送風路部材７２は、制御部５０の動作制御によって回動することによってそれぞれの送風路の送風抵抗を変化させる送風抵抗部材であり、例えば縦方向風向変更板である。このとき、制御部５０は複数の送風抵抗部材のうち少なくとも１つの送風抵抗部材の動作を制御することにより、該送風抵抗部材の送風抵抗を他の送風抵抗部材の送風抵抗と互いに異ならせる抵抗制御部としても動作する。
【００５７】
＜空気調和機の室内機２の動作＞
本実施形態に係る空気調和機の室内機２の動作について、図２０を用いて説明する。図２０は、本実施形態に係る空気調和機の室内機２の要部構成の一例を示すブロック図である。なお、図示の例において、第１送風路部材７１の送風抵抗は十分に小さいものであり、第２送風路部材７２の送風抵抗は比較的大きいものである。
【００５８】
まず、制御部５０は、操作部（図示せず）からの指示により、所定のモーター回転数に対応した回転数指令値を第１送風ファン駆動部５３および第２送風ファン駆動部５４の両方に送る。このとき、制御部５０は、第１送風ファン駆動部５３および第２送風ファン駆動部５４へ、同一の値ａの回転数指令値を送る。
【００５９】
次に、第１送風ファン駆動部５３は、制御部５０より送られてきた回転数指令値ａに応じて回転数ｒでの回転駆動を行う。第２送風ファン駆動部５４も同じく制御部５０より送られてきた回転数指令値ａに応じて回転数ｒでの回転駆動を行う。
【００６０】
回転駆動開始時において、第１送風ファン５１は第１送風ファン駆動部５３の回転駆動に伴い、回転数ｒにて回転する。第２送風ファン５２も同じく第２送風ファン駆動部５４の回転駆動に伴い回転数ｒにて回転する。その際、第１送風ファン５１および第２送風ファン５２の回転により各々から風が送られ、各々の風は第１送風路部材７１および第２送風路部材７２を通過する。
【００６１】
このとき、第１送風路部材７１の送風抵抗Ｒが第１送風ファン５１の送風エネルギーに対し十分に小さいため、第１送風ファン５１は周囲の風の流れの影響を受けることなく、回転数ｒで回転する。一方、第２送風路部材７２の送風抵抗Ｒ＋ΔＲが第２送風ファン５２の送風エネルギーに対して無視できない大きさであるため、第２送風ファン５２は送風抵抗Ｒ＋ΔＲによる周囲の流れの影響を受ける。このとき、第２送風ファン５２は、周囲の風の流れと自身の発生する風の流れとの間に滑りが生じるため、空回りを伴う、回転数ｒ＋Δｒで回転する。従って、２つの送風ファンの回転数の差異Δｒに伴い送風音に含まれる翼通過音のピーク周波数の差異Δｆが生じる。この差異Δｆにより本実施形態に係る空気調和機の室内機２は、前記第６の実施形態と同様の作用効果が得られる。
【００６２】
なお、本実施形態においては、制御部５０からの伝達信号（回転数指令値）が１種類のみで良いため、制御部の構成を簡易にすることが出来るという利点がある。
【００６３】
これまでに示した各実施形態においては、一例としてプロペラファンを備えた扇風機、およびクロスフローファンを備えた空気調和機の場合を示した。しかし、各実施形態における送風ファンはプロペラファンやクロスフローファンに限らずシロッコファン、遠心ファン、斜流ファンなどであってもよい。また、各実施形態における送風装置は、扇風機や空気調和機の室内機に限らず、サーキュレータ、換気扇などの送風装置であってもよいが、これに限定されることはない。送風装置は、ファンヒーター（部屋の空気を温める機器）、イオン発生機（部屋のイオンバランスを調整する機器）、空気清浄器（部屋の空気の清浄を行う機器）、除湿器（部屋の空気の湿度を低減する機器）、加湿器（部屋の空気の湿度を増加させる機器）などの、送風装置を備えた装置であってもよい。ここで、送風装置を備えた装置とは、送風が装置の主たる目的ではないものの、該装置の機能上、送風装置を備える必要がある装置のことを示す。送風装置を備えた装置は、また、例えば庫内冷気循環用ファンを備える冷蔵庫や、電気回路冷却用ファンを備える電気機器（例えばビデオレコーダー）など、送風装置が補助的に備えられているものであってもよい。
【００６４】
また、送風ファンの個数においても２個のものである例を示したが、それに限らず複数個の送風ファンを備え、そのうちの２個の送風ファンの組み合わせにおいて以上に示した実施形態に準ずる実施を行ったものであってもよい。
【００６５】
前記各実施形態において、複数の送風ファンを備えた送風装置の例を示したが、１つの送風ファンを備えた複数の送風装置を組み合わせる構成であってもよい。例えば、１つの送風ファンを備えた２つの扇風機が互いに通信することによって送風ファンの回転数を制御し、所望する翼通過音のピーク周波数の差異Δｆを生じる構成であってもよい。
【００６６】
［第９の実施形態］
＜換気扇の構成＞
本実施形態に係る換気扇３の概要について、図２１から図２４を用いて説明する。図２１と図２２は、本実施形態に係る、換気扇３の全体構成を示す概略図である。図２１は換気扇３の正面図であり、図２２は換気扇３の斜視図である。図２３は換気扇３の構成、および換気扇３からうなり音を発生させる流れを図示したものである。なお、換気扇３は室内の空気を吸気して室外に排出することにより室内の空間の換気を行う換気装置であり、室外に対して送風する送風装置であるとも言える。
【００６７】
図２３の例において、換気扇３は、複数の羽根で構成された翼列を備えた翼列部である送風ファン１０４と、送風ファン１０４を回転駆動する翼列駆動部である送風ファン駆動部１０３とを備えている。本実施形態において、送風ファン１０４はプロペラファンである。なお、送風ファン駆動部１０３は、送風ファン１０４を回転駆動させることが可能な構成であればどのようなものであってもよい。例えば、送風ファン駆動部１０３はファンモーターであってもよい。換気扇３は、送風ファン１０４と送風ファン駆動部１０３を備え、送風ファン１０４と送風ファン駆動部１０３を支え、壁に設置するためのフランジ部を有し、室内外を貫通するパイプ１０１を備える。本実施形態において、送風ファン１０４の周囲には、ファンの回転時にユーザが接触しないためのファンガード１０５が設けられている。また、換気扇３は、送風ファン１０４の駆動を制御する制御部１０２を備えていてもよい。制御部１０２は、換気扇３の各部を統括して制御するものであり、例えばマイコンである。すなわち、換気扇３は、制御部１０２の制御によって送風ファン駆動部１０３を介して送風ファン１０４を駆動させる。そして、送風ファン１０４の駆動によって、室内の空気はパイプ１０１を介して室外へ排出される。また、送風ファン１０４の駆動によって送風音を生じさせる。
【００６８】
図２４は換気扇３を備えた空間の側面図を表す。換気扇３からは周波数ｆもしくは周波数ｆ+Δｆの送風音を発生させることができる。送風装置を備えた装置として換気扇３を用いることで、より空間内の空気の循環が効率的に行え、室内外の空気の交換も可能となる。
【００６９】
＜システムの構成＞
本実施形態に係る翼列部を備えた装置を含むシステム４の構成について、図２５を用いて説明する。翼列部を備えた装置を含むシステム４は、第１換気扇３ａおよび第２換気扇３ｂを備えている。なお、第１換気扇３ａおよび第２換気扇３ｂは、換気扇３と同一の構成を備えている。
【００７０】
＜システムの動作＞
本実施形態に係る翼列部を備えた装置を含むシステム４の動作について、図２５を用いて説明する。図２５はシステム４が適用された空間の模式図を示す。図２５は、空間内にシステムの構成要素である、第１換気扇３ａと第２換気扇３ｂとが同一壁面に設置された図である。すなわち、システム４は、第１の翼列部を備える装置（第１換気扇３ａ）および第２の翼列部を備える他の装置（第２換気扇３ｂ）について、第１の翼列部の正面方向（翼列の回転軸の延在方向）と、第２の翼列部の正面方向が同じ向きとなるように配置されている。
【００７１】
なお、本実施形態において、第１送風ファン駆動部１０３ａおよび第２送風ファン駆動部１０３ｂは、第１制御部１０２ａおよび第２制御部１０２ｂからの回転数信号の伝達により回転数制御が実施されるＤＣモーターであり、制御信号である回転数指令値が変わることでモーター回転数が変化する。本実施形態に係る第１換気扇３ａおよび第２換気扇３ｂは、第１制御部１０２ａおよび第２制御部１０２ｂからの回転数信号の伝達により回転数制御を実施することにより、第１送風ファン１０４ａによる送風音の周波数と、第２送風ファン１０４ｂによる送風音の周波数とを異ならせる。
【００７２】
まず、第１換気扇３ａは操作部（図示せず）からの指示により第１制御部１０２ａにて所定のモーター回転数に対応した回転数指令値を第１送風ファン駆動部１０３ａに送る。第２換気扇３ｂも同様に、第２制御部１０２ｂにて所定のモーター回転数に対応した回転数指令値を第２送風ファン駆動部１０３ｂに送る。この時、第１制御部１０２ａは第１送風ファン駆動部１０３ａには値ａの回転数指令値を送る。もう一方の第２換気扇３ｂの第２制御部１０２ｂは、第２送風ファン駆動部１０３ｂには値ａ＋Δａの回転数指令値を送る。
【００７３】
次に、第１送風ファン駆動部１０３ａは第１制御部１０２ａより送られてきた回転数指令値ａに応じて回転数ｒでの回転駆動を行う。そして、第２送風ファン駆動部１０３ｂは第２制御部１０２ｂより送られてきた回転数指令値ａ＋Δａに応じて回転数ｒ＋Δｒでの回転駆動を行う。そして、第１送風ファン１０４ａは、第１送風ファン駆動部１０３ａの回転駆動に伴い、回転数ｒにて回転する。第２送風ファン１０４ｂは第２送風ファン駆動部１０３ｂの回転駆動に伴い、回転数ｒ＋Δｒにて回転する。第１送風ファン１０４ａおよび第２送風ファン１０４ｂの回転により換気がなされ、それに伴う送風音が各々発生する。これにより、第１送風ファン１０４ａと第２送風ファン１０４ｂとの間に回転数の差Δｒが生じる。
【００７４】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【００７５】
図２６は送風音が聞こえる範囲を示す概略図である。図２６の場合、限定された範囲でうなり音が聞こえる環境となり、リビングなど様々な人が同時に存在する空間において、必要な人にだけうなり音が聞こえるという利点がある。すなわち、本実施形態に係るシステム４は、第１の翼列部を備えた装置（第１換気扇３ａ）と第２の翼列部を備えた他の装置（第２換気扇３ｂ）から等距離にある位置のユーザに対し、第１の翼列部の駆動時に発生する音と、第２の翼列部の駆動時に発生する音との重ね合わせによって生じる低周波音によって脳波との同調作用を生じさせ、リラックスや眠りやすい状態へ誘導することが出来るという効果を奏する。
【００７６】
なお、本実施形態において、翼列部を備えた装置を含むシステム４は、１つの送風ファンを備える２つの換気扇を用いる構成であったが、これに限定されない。たとえば、２つの送風ファンを備える１つの換気扇を用いる構成であってもよい。この場合、制御部１０２は、第１送風ファン駆動部１０３ａおよび第２送風ファン駆動部１０３ｂのそれぞれに対して、回転数指令値ａおよびａ＋Δａをそれぞれ送る構成であってもよい。
【００７７】
［第１０の実施形態］
＜システムの構成＞
本実施形態に係る翼列部を備えた装置を含むシステム４の構成について、図２７を用いて説明する。システム４は、第１換気扇３ａおよび第２換気扇３ｂを備えている。なお、第１換気扇３ａおよび第２換気扇３ｂは、前記第９の実施形態に係る換気扇３と同一の構成を備えている。
【００７８】
＜システムの動作＞
本実施形態に係るシステム４の動作について、図２７を用いて説明する。図２７はシステム４が適用された空間の模式図を示す。図２７は、空間内に第１換気扇３ａと第２換気扇３ｂとが設置された図である。図示の例において、空間のある壁面を第１の壁面とすると、第１換気扇３ａは第１の壁面に設置され、第２換気扇３ｂは、第１壁面とは異なる第２の壁面に設置されている。すなわち、本実施形態に係るシステム４は、第１の翼列部を備える装置（第１換気扇３ａ）および第２の翼列部を備える他の装置（第２換気扇３ｂ）について、上記第１の翼列部の正面方向と、上記第２の翼列部の正面方向が異なるように配置されている。
【００７９】
なお、本実施形態において、第１送風ファン駆動部１０３ａおよび第２送風ファン駆動部１０３ｂは、第１制御部１０２ａおよび第２制御部１０２ｂからの回転数信号の伝達により回転数制御が実施されるＤＣモーターであり、制御信号である回転数指令値が変わることでモーター回転数が変化する。本実施形態に係る第１換気扇３ａおよび第２換気扇３ｂは、第１制御部１０２ａおよび第２制御部１０２ｂからの回転数信号の伝達により回転数制御を実施することにより、第１送風ファン１０４ａによる送風音の周波数と、第２送風ファン１０４ｂによる送風音の周波数とを異ならせる。
【００８０】
まず、第１換気扇３ａは操作部（図示しない）からの指示により第１制御部１０２ａにて所定のモーター回転数に対応した回転数指令値を第１送風ファン駆動部１０３ａに送る。第２送風ファン駆動部１０３ｂも同様に、第２制御部１０２ｂにて所定のモーター回転数に対応した回転数指令値を第２送風ファン駆動部１０３ｂに送る。この時、第１制御部１０２ａは第１送風ファン駆動部１０３ａには値ａの回転数指令値を送る。もう一方の第２換気扇３ｂの第２制御部１０２ｂは、第２送風ファン駆動部１０３ｂには値ａ＋Δａの回転数指令値を送る。
【００８１】
次に、第１送風ファン駆動部１０３ａは第１制御部１０２ａより送られてきた回転数指令値ａに応じて回転数ｒでの回転駆動を行う。そして、第２送風ファン駆動部１０３ｂは第２制御部１０２ｂより送られてきた回転数指令値ａ＋Δａに応じて回転数ｒ＋Δｒでの回転駆動を行う。そして、第１送風ファン１０４ａは、第１送風ファン駆動部１０３ａの回転駆動に伴い、回転数ｒにて回転する。第２送風ファン１０４ｂは第２送風ファン駆動部１０３ｂの回転駆動に伴い、回転数ｒ＋Δｒにて回転する。第１送風ファン１０４ａおよび第２送風ファン１０４ｂの回転により換気がなされ、それに伴う送風音が各々発生する。これにより、第１送風ファン１０４ａと第２送風ファン１０４ｂとの間に回転数の差Δｒが生じる。
【００８２】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【００８３】
図２８は送風音が聞こえる範囲を示す概略図である。図２８の場合、より広範囲でうなり音が聞こえる環境となり、空間内に滞在する多くの人はうなり音を知覚でき、かつ、家具の配置制限が緩和される利点がある。すなわち、本実施形態に係るシステム４は、第１の翼列部の正面方向と、第２の翼列部の正面方向が異なっているので、第９の実施形態と比べて広い範囲をうなり音が聞こえる環境とすることができる。よって、より多くの人を、リラックスした状態や眠りやすい状態へ誘導することが出来るという効果を奏する。
【００８４】
［第１１の実施形態］
＜システムの構成＞
本実施形態に係る翼列部を備えた装置を含むシステム４の構成について、図２９を用いて説明する。システム４は、換気扇３およびシーリングファン５を備えている。なお、換気扇３は、前記第９の実施形態に係る換気扇３と同一の構成を備えている。
【００８５】
＜シーリングファンの構成＞
本実施形態に係るシーリングファン５の構成について、以下に説明する。本実施形態に係るシーリングファン５は、各部を統括して制御する制御部１１２、翼列部を駆動させる翼列駆動部である送風ファン駆動部１１３、翼列部である送風ファン１１４を少なくとも備えた室内の空気を循環させる装置であり、送風装置であるとも言える。
【００８６】
＜システムの動作＞
本実施形態に係るシステム４の動作について、図２９を用いて説明する。図２９は、本実施形態に係るシステム４の概要を示す図である。図２９の空間には、前記図２３の構成と同様の換気扇３が設置されていると共に、シーリングファン５が設置されている。システム４には、扇風機、空気清浄機等の１つ以上の送風装置（制御部、送風ファン駆動部、及び送風ファンを備えた装置）が更に含まれていてもよい。制御部、送風ファン駆動部、送風ファンを有する装置を設置してもよい。
【００８７】
なお、本実施形態において、換気扇３の送風ファン駆動部１０３およびシーリングファン５の送風ファン駆動部１１３は、制御部１０２および制御部１１２からの回転数信号の伝達により回転数制御が実施されるＤＣモーターであり、制御信号である回転数指令値が変わることでモーター回転数が変化する。本実施形態に係る換気扇３とシーリングファン５は、制御部１０２および制御部１１２からの回転数信号の伝達により回転数制御を実施することにより、換気扇３の送風ファン１０４による送風音の周波数と、シーリングファン５の送風ファン１１４による送風音の周波数とを異ならせる。
【００８８】
まず、換気扇３は、操作部（図示しない）からの指示により制御部１０２にて所定のモーター回転数に対応した回転数指令値を送風ファン駆動部１０３に送る。シーリングファン５の操作部（図示しない）も同様に、制御部１１２にて所定のモーター回転数に対応した回転数指令値を送風ファン駆動部１１３に送る。このとき、換気扇３の制御部１０２は、送風ファン駆動部１０３には値ａの回転数指令値を送る。シーリングファン５の制御部１１２は、送風ファン駆動部１１３には値ａ＋Δａ’の回転数指令値を送る。
【００８９】
次に、送風ファン駆動部１０３は制御部１０２より送られてきた回転数指令値ａに応じて回転数ｒでの回転駆動を行う。シーリングファン５の送風ファン駆動部１１３は制御部１１２より送られてきた回転数指令値ａ＋Δａ’に応じて回転数r＋Δｒ’での回転駆動を行う。
【００９０】
そして、送風ファン１０４は、送風ファン駆動部１０３の回転駆動に伴い、回転数ｒにて回転する。シーリングファン５の送風ファン１１４は、送風ファン駆動部１１３の回転駆動に伴い、回転数ｒ＋Δｒ’にて回転する。送風ファン１０４および送風ファン１１４の回転により換気および室内の空気の撹拌がなされ、それに伴う送風音が各々発生する。これにより、換気扇３の送風ファン１０４からは周波数ｆが、シーリングファン５の送風ファン１１４からは周波数ｆ＋Δｆが発生する。
【００９１】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【００９２】
図３０は送風音が聞こえる範囲を示す空間を上から見た概略図である。図３０において、シーリングファン５などの送風装置を備えた装置と組み合わせることで、換気扇３のみの設置に比べ、換気効率がより上がり、かつ、うなり音が聞こえる範囲が拡大する利点がある。また、換気扇３が移動可能な場合、利用者が求める場所でうなり音を聞くことができるメリットがある。すなわち、本実施形態に係るシステム４は、複数の換気扇３を併用する場合と比べて室内の換気効率を高めることができ、また該場合と比べてより広い範囲の人を、リラックスした状態や眠りやすい状態へ誘導することが出来るという効果を奏する。
【００９３】
［第１２の実施形態］
＜システムの構成＞
本実施形態に係る翼列部を備えた装置を含むシステム４の構成について、図３１を用いて説明する。システム４は、第１換気扇３ａ、第２換気扇３ｂ、第３換気扇３ｃ、および第４換気扇３ｄを備えている。なお、各換気扇は、前記第９の実施形態に係る換気扇３と同一の構成を備えている。すなわち、第１換気扇３ａは、第１制御部１０２ａ、第１送風ファン駆動部１０３ａ、および第１送風ファン１０４ａを少なくとも備え、第２換気扇３ｂは、第２制御部１０２ｂ、第２送風ファン駆動部１０３ｂ、および第２送風ファン１０４ｂを少なくとも備えている。さらに、第３換気扇３ｃは、第３制御部１０２ｃ、第３送風ファン駆動部１０３ｃ、および第３送風ファン１０４ｃを少なくとも備え、第４換気扇３ｄは、第４制御部１０２ｄ、第４送風ファン駆動部１０３ｄ、および第４送風ファン１０４ｄを少なくとも備えている。また、図に示すように、第１換気扇３ａおよび第２換気扇３ｂが発生させる音の周波数は、第３換気扇３ｃおよび第４換気扇３ｄが発生させる音の周波数とΔｆだけ異なっている。
【００９４】
＜システムの動作＞
本実施形態に係るシステム４の動作について、図３１を用いて説明する。図３１は、本実施形態に係るシステム４が適用された空間の模式図である。図３１は、同一空間内に４つの換気扇が設置された図であり、空間の壁面の１つに第１換気扇３ａおよび第２換気扇３ｂを設置し、上記壁面と隣り合う壁面に第３換気扇３ｃおよび第４換気扇３ｄを設置している。
【００９５】
第１送風ファン駆動部１０３ａから第４送風ファン駆動部１０３ｄは、第１制御部１０２ａから第４制御部１０２ｄのそれぞれからの回転数信号の伝達により回転数制御が実施されるＤＣモーターであり、制御信号である回転数指令値が変わることでモーター回転数が変化する。本実施形態に係る第１換気扇３ａから第４換気扇３ｄは、第１制御部１０２ａから第４制御部１０２ｄのそれぞれからの回転数信号の伝達により回転数制御を実施することにより、第１送風ファン１０４ａおよび第２送風ファン１０４ｂによる送風音の周波数と、第３送風ファン１０４ｃおよび第４送風ファン１０４ｄによる送風音の周波数とを異ならせる。
【００９６】
まず、第１換気扇３ａおよび第２換気扇３ｂは操作部（図示しない）からの指示により第１制御部１０２ａおよび第２制御部１０２ｂにて所定のモーター回転数に対応した回転数指令値を第１送風ファン駆動部１０３ａおよび第２送風ファン駆動部１０３ｂに送る。第３換気扇３ｃおよび第４換気扇３ｄも同様に、第３制御部１０２ｃおよび第４制御部１０２ｄにて所定のモーター回転数に対応した回転数指令値を第３送風ファン駆動部１０３ｃおよび第４送風ファン駆動部１０３ｄに送る。このとき、第１制御部１０２ａおよび第２制御部１０２ｂは、第１送風ファン駆動部１０３ａおよび第２送風ファン駆動部１０３ｂには値ａの回転数指令値を送る。残りの換気扇の制御部は、第３送風ファン駆動部１０３ｃおよび第４送風ファン駆動部１０３ｄには値ａ＋Δａの回転数指令値を送る。
【００９７】
次に、第１送風ファン駆動部１０３ａおよび第２送風ファン駆動部１０３ｂは第１制御部１０２ａおよび第２制御部１０２ｂより送られてきた回転数指令値ａに応じて回転数ｒでの回転駆動を行う。そして、第３送風ファン駆動部１０３ｃおよび第４送風ファン駆動部１０３ｄは第３制御部１０２ｃおよび第４制御部１０２ｄより送られてきた回転数指令値ａ＋Δａに応じて回転数ｒ＋Δｒでの回転駆動を行う。
【００９８】
そして、第１送風ファン１０４ａおよび第２送風ファン１０４ｂは、第１送風ファン駆動部１０３ａおよび第２送風ファン駆動部１０３ｂの回転駆動に伴い、回転数ｒにて回転する。第３送風ファン１０４ｃおよび第４送風ファン１０４ｄは第３送風ファン駆動部１０３ｃおよび第４送風ファン駆動部１０３ｄの回転駆動に伴い、回転数ｒ＋Δｒにて回転する。第１送風ファン１０４ａおよび第２送風ファン１０４ｂおよび第３送風ファン１０４ｃおよび第４送風ファン１０４ｄの回転により換気がなされ、それに伴う送風音が各々発生する。これにより、第１送風ファン１０４ａおよび第２送風ファン１０４ｂと第３送風ファン１０４ｃおよび第４送風ファン１０４ｄとの間に回転数の差Δｒが生じる。
【００９９】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１００】
図３２は送風音が聞こえる範囲を示す概略図である。空間内に換気扇３を４つ設置することで、２つ設置の場合に比べ、より広い範囲でうなり音を聞くことができる。また、４つ換気扇を設置することで、換気量を増やすことができる。つまり、多くの換気量が必要な空間、例えば塗装工場内、実験施設、畜舎などに設置でき、かつ、その空間で作業する人や動物をリラックスしやすい状態を誘導することができ、労働環境やウェルフェアの向上に繋がる利点がある。すなわち、本実施形態に係る翼列部を備えた装置を含むシステム４は、２つの換気扇３を併用する場合と比べて換気量を増やすことができ、多くの換気量が必要な空間内の人および動物を、リラックスした状態や眠りやすい状態へ誘導することが出来るという効果を奏する。
【０１０１】
［第１３の実施形態］
＜システムの構成＞
本実施形態に係る翼列部を備えた装置を含むシステム４の構成について、図３３を用いて説明する。システム４は、第１換気扇３ａ、第２換気扇３ｂ、および第３換気扇３ｃを備えている。なお、各換気扇は、前記第１２の実施形態に係る第１換気扇３ａ、第２換気扇３ｂ、および第３換気扇３ｃと同一の構成を備えている。また、図に示すように、第１換気扇３ａおよび第３換気扇３ｃが発生させる音の周波数は、第２換気扇３ｂが発生させる音の周波数とΔｆだけ異なっている。
【０１０２】
＜システムの動作＞
本実施形態に係るシステム４の動作について、図３３を用いて説明する。図３３は、システム４が適用された空間の模式図である。図３３では、１つの壁面に３つの換気扇が設置されており、周波数ｆを発生させる第２換気扇３ｂの両隣に周波数ｆ+Δｆを発生させる第１換気扇３ａおよび第３換気扇３ｃが設置されている。すなわち、本実施形態に係るシステム４は、複数の翼からなる翼列を含む第３の翼列部を備えた更に他の装置（第３換気扇３ｃ）を含み、上記第３の翼列部の駆動時に発生する第３の音の周波数は、上記第１の音または上記第２の音の周波数に等しい。
【０１０３】
本実施形態において、第１送風ファン駆動部１０３ａから第３送風ファン駆動部１０３ｃは、第１制御部１０２ａから第３制御部１０２ｃからの回転数信号の伝達により回転数制御が実施されるＤＣモーターであり、制御信号である回転数指令値が変わることでモーター回転数が変化する。本実施形態に係る換気扇３は、第１制御部１０２ａから第３制御部１０２ｃからの回転数信号の伝達により回転数制御を実施することにより、第１送風ファン１０４ａおよび第３送風ファン１０４ｃによる送風音の周波数と、第２送風ファン１０４ｂによる送風音の周波数とを異ならせる。
【０１０４】
まず、第１換気扇３ａおよび第３換気扇３ｃは操作部（図示しない）からの指示により第１制御部１０２ａおよび第３制御部１０２ｃにて所定のモーター回転数に対応した回転数指令値を第１送風ファン駆動部１０３ａおよび第３送風ファン駆動部１０３ｃに送る。第２換気扇３ｂも同様に、第２制御部１０２ｂにて所定のモーター回転数に対応した回転数指令値を第２送風ファン駆動部１０３ｂに送る。このとき、第１制御部１０２ａおよび第３制御部１０２ｃは、第１送風ファン駆動部１０３ａおよび第３送風ファン駆動部１０３ｃには値ａの回転数指令値を送る。もう一方の第２換気扇３ｂの第２制御部１０２ｂは、第２送風ファン駆動部１０３ｂには値ａ＋Δａの回転数指令値を送る。
【０１０５】
次に、第１送風ファン駆動部１０３ａおよび第３送風ファン駆動部１０３ｃは第１制御部１０２ａおよび第３制御部１０２ｃより送られてきた回転数指令値ａに応じて回転数ｒでの回転駆動を行う。そして、第２送風ファン駆動部１０３ｂは第２制御部１０２ｂより送られてきた回転数指令値ａ＋Δａに応じて回転数ｒ＋Δｒでの回転駆動を行う。
【０１０６】
そして、第１送風ファン１０４ａおよび第３送風ファン１０４ｃは、第１送風ファン駆動部１０３ａおよび第３送風ファン駆動部１０３ｃの回転駆動に伴い、回転数ｒにて回転する。第２送風ファン１０４ｂは第２送風ファン駆動部１０３ｂの回転駆動に伴い、回転数ｒ＋Δｒにて回転する。第１送風ファン１０４ａおよび第３送風ファン１０４ｃおよび第２送風ファン１０４ｂの回転により換気がなされ、それに伴う送風音が各々発生する。これにより、第１送風ファン１０４ａおよび第３送風ファン１０４ｃと第２送風ファン１０４ｂとの間に回転数の差Δｒが生じる。
【０１０７】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１０８】
図３４は送風音が聞こえる範囲を示す概略図である。同一の壁面に３つの換気扇を設置することで、換気扇２つの設置状態に比べ換気量は増え、またうなり音が聞こえる範囲を局所的に増加させることができる利点がある。すなわち、本実施形態に係る翼列部を備えた装置を含むシステム４は、２つの換気扇３を併用する場合と比べて換気量を増やすことができ、空間内の局所的に増加させた範囲において、人を、リラックスした状態や眠りやすい状態へ誘導することが出来るという効果を奏する。
【０１０９】
［第１４の実施形態］
＜システムの構成＞
本実施形態に係る翼列部を備えた装置を含むシステム４の構成について、図３５を用いて説明する。システム４は、第１換気扇３ａおよび第２換気扇３ｂを備えている。なお、各換気扇は、前記第９の実施形態に係る第１換気扇３ａおよび第２換気扇３ｂと同一の構成を備えている。また、図に示すように、第１換気扇３ａおよび第２換気扇３ｂは、しきりや壁、カーテン、パーテーション等によって仕切られた２つの空間のそれぞれに配置されている。
【０１１０】
＜システムの動作＞
本実施形態に係るシステム４の動作について、図３５を用いて説明する。図３５は、本実施形態に係るシステム４が適用された空間の模式図である。図３５の（ａ）は、第２換気扇３ｂの第２送風ファン１０４ｂが発生させた送風音は、しきりや壁、カーテン、パーテーション等で空間を隔てられても、送風音を周波数ｆ＋Δｆのまま空間内の人が受容できることを示す。図３５の（ｂ）は、しきりや壁、カーテン、パーテーション等で空間を隔てることで第２送風ファン１０４ｂの送風音が変化することを想定し、予め第２送風ファン１０４ｂの回転数を制御し、空間内の人が受容する送風音を周波数ｆ＋Δｆとすることを示す。
【０１１１】
なお、本実施形態において、第１送風ファン駆動部１０３ａおよび第２送風ファン駆動部１０３ｂは、第１制御部１０２ａおよび第２制御部１０２ｂからの回転数信号の伝達により回転数制御が実施されるＤＣモーターであり、制御信号である回転数指令値が変わることでモーター回転数が変化する。本実施形態に係る各換気扇は、第１制御部１０２ａおよび第２制御部１０２ｂからの回転数信号の伝達により回転数制御を実施することにより、第１送風ファン１０４ａによる送風音の周波数と、第２送風ファン１０４ｂによる送風音の周波数とを異ならせる。
【０１１２】
まず、第１換気扇３ａは、操作部（図示しない）からの指示により第１制御部１０２ａにて所定のモーター回転数に対応した回転数指令値を第１送風ファン駆動部１０３ａに送る。第２換気扇３ｂも同様に、制御部１０２ｂにて所定のモーター回転数に対応した回転数指令値を第２送風ファン駆動部１０３ｂに送る。図３５の（ａ）の時、第１制御部１０２ａは第１送風ファン駆動部１０３ａに値ａの回転数指令値を送る。もう一方の第２換気扇３ｂの第２制御部１０２ｂは第２送風ファン駆動部１０３ｂには値ａ＋Δａの回転数指令値を送る。図３５の（ｂ）の時、第１制御部１０２ａは、第１送風ファン駆動部１０３ａには値ａの回転数指令値を送る。もう一方の第２換気扇３ｂの第２制御部１０２ｂは、第２送風ファン駆動部１０３ｂには値ａ＋Δａ’の回転数指令値を送る。
【０１１３】
次に、第１送風ファン駆動部１０３ａは第１制御部１０２ａより送られてきた回転数指令値ａに応じて回転数ｒでの回転駆動を行う。そして、第２送風ファン駆動部１０３ｂは第２制御部１０２ｂより送られてきた回転数指令値ａ＋Δａもしくはａ＋Δａ’に応じて回転数ｒ＋Δｒもしくはｒ＋Δｒ’での回転駆動を行う。
【０１１４】
そして、第１送風ファン１０４ａは、第１送風ファン駆動部１０３ａの回転駆動に伴い、回転数ｒにて回転する。第２送風ファン１０４ｂは第２送風ファン駆動部１０３ｂの回転駆動に伴い、回転数ｒ＋Δｒもしくはｒ＋Δｒ’にて回転する。第１送風ファン１０４ａおよび第２送風ファン１０４ｂの回転により換気がなされ、それに伴う送風音が各々発生する。これにより、第１送風ファン１０４ａと第２送風ファン１０４ｂとの間に回転数の差ΔｒもしくはΔｒ’が生じる。
【０１１５】
結果として、図３５の（ａ）の場合、システム４において、送風音に含まれる翼通過音のピーク周波数の差異Δｆが生じる。この差異Δｆにより前記第１の実施形態と同様の作用効果が得られる。図３５の（ｂ）の場合、第２送風ファン１０４ｂより発生した周波数ｆ+Δｆ’はしきりや壁、カーテン、パーテーション等により周波数が変化し、人が受容する際には周波数ｆ+Δｆとなる。
【０１１６】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１１７】
図３５の各図に示した配置により、１つの仕切られた空間ごとに複数の換気扇を設置する必要がなくなり、設置数制限、設置空間制限のある空間でも本発明の効果が得られるという利点がある。換気扇同士が空間を隔てた場所に設置されていたとしても、うなり音が聞こえる環境となり、空間内に存在する多くの人にうなり音が聞こえかつ、家具等の配置に制限が緩和される利点がある。すなわち、本実施形態に係るシステム４は、空間内に１つの換気扇３しか無い場合であっても、該換気扇３が発生させた音と、別の空間内に設置された別の換気扇３が発生させ、空間内に伝搬した音が重ね合される範囲において、人を、リラックスした状態や眠りやすい状態へ誘導することが出来るという効果を奏する。
【０１１８】
［第１５の実施形態］
＜システムの構成＞
本実施形態に係る翼列部を備えた装置を含むシステム４の構成について、図３６を用いて説明する。システム４は、前記第９の実施形態に係る換気扇３と同一の構成である換気扇３と、前記第１１の実施形態に係るシーリングファン５を備えている。また、図に示すように、換気扇３のパイプ１０１は室内外を隔てる壁を貫通しており、送風ファン１０４が壁と室内との間の境界に位置するように配置されている。換気扇３とシーリングファン５は、制御部（制御装置）４０１にて動作制御される。また、制御部４０１には、室外の音を集音し、その音の大きさを示す値を制御部４０１に出力する集音部４０２が接続されている。本実施形態のシステム４は、室外から送風ファン１０４の周囲（パイプ１０１）を通って室内空間に伝搬する音よりも換気扇３の送風音が大きくなるように制御すると共に、該制御後の送風音の周波数と、シーリングファン５の送風音の周波数との差が、脳波の誘導周波数、心拍数の誘導周波数、及び呼吸数の誘導周波数のうち何れかになるように、シーリングファン５の駆動を制御する。
【０１１９】
＜システムの動作＞
本実施形態に係るシステム４の動作について、以下に説明する。システム４は、第１の翼列部を備えた装置（換気扇３）および第２の翼列部を備えた他の装置（シーリングファン５）について、第１の音と第２の音が伝搬する空間の外部から、上記第１の翼列部の周囲を通って上記空間に伝搬する第４の音よりも上記第１の音が大きくなるように上記第１の翼列部の駆動を制御すると共に、該制御後の上記第１の音の周波数と、上記第２の音の周波数との差が、脳波の誘導周波数、心拍数の誘導周波数、及び呼吸数の誘導周波数のうち何れかになるように、上記第２の翼列部の駆動を制御する。
【０１２０】
送風ファン駆動部１０３（図示せず）は、制御部４０１からの回転数信号の伝達により回転数制御が実施されるＤＣモーターであり、制御信号である回転数指令値が変わることでモーター回転数が変化する。ここでは、まず、制御部４０１は、送風ファン駆動部１０３に値ａの回転数指令値を送ることにより、換気扇３から周波数ｆの送風音が発生するように制御したとする。この場合、制御部４０１は、シーリングファン５に対しては、シーリングファン５から周波数ｆ＋Δｆの送風音が発生するように、値ｂの回転数指令値を送る。
【０１２１】
ここで、制御部４０１は、集音部４０２から室外音の大きさを示す値を受信すると、換気扇３を駆動するための回転数指令値を変更する。具体的には、制御部４０１は、室外音よりも換気扇３の送風音が大きくなるように回転数指令値を変更する。例えば、室外音の音圧がＸ（ｄＢ）であった場合には、換気扇３の送風音の音圧ｘ（ｄＢ）をＸ（ｄＢ）より大きくする。すなわち、（ｘ−Ｘ）が正の値となるようにする。なお、室外音の大きさは、音圧で特定してもよいし、音量で特定してもよい。また、回転数指令値をどのように設定した場合に、換気扇３の送風音がどの程度となるか、すなわち回転数指令値と送風音との相関関係は予め特定しておく。そして、該相関関係を示す情報を、制御部４０１が読み取り可能な記録媒体に記録しておくことにより、制御部４０１は、集音部４０２にて検出した外部音の大きさに応じた回転数指令値を特定することが可能になる。
【０１２２】
以上のようにして換気扇３を駆動するための回転数指令値を変更すると、室外音よりも換気扇３の送風音が大きくなる。換気扇３の送風ファン１０４は、室外音が室内に伝わる伝搬経路となるパイプ１０１内に配置されているので、室内のユーザには室外音が聞こえなく、あるいは聞こえにくくなる。また、換気扇３を駆動するための回転数指令値を変更した場合、換気扇３の送風音の周波数が変化する。ここでは、周波数がｆからｆ”に変化したとする。
【０１２３】
次に、制御部４０１は、シーリングファン５の送風音の周波数と、換気扇３の送風音の周波数ｆ”との差がΔｆとなるように、シーリングファン５を駆動するための回転数指令値を変更する。これにより、室内のユーザに明瞭なうなり音を聞かせることができる。なお、周波数の差がΔｆとなるような、換気扇３の回転数指令値と、シーリングファン５の回転数指令値との対応関係（換気扇３の回転数指令値に対して、シーリングファン５の回転数指令値をどのように設定すれば周波数の差がΔｆとなるか）は予め特定しておく。これにより、制御部４０１は、上記対応関係に基づいてシーリングファン５の回転数指令値を設定することができる。
【０１２４】
以上のように、本実施形態のシステム４によれば、換気扇３の送風音を室外音よりも大きくすることにより、室外音（周波数Ｆ）が、室内の送風音に干渉することを防ぐ（あるいは干渉を低減する）ことができる。そして、室内のユーザには、換気扇３の送風音と、シーリングファン５の送風音による明瞭なうなり音を聞かせることができる。つまり、ユーザは、室外音を気にすることなく、うなり音によるリラックス効果を十分に享受することができるという利点がある。
【０１２５】
［第１６の実施形態］
＜システムの構成＞
本実施形態に係る翼列部を備えた装置を含むシステム４の構成について、図３７を用いて説明する。システム４は、第１換気扇３ａ、第２換気扇３ｂ、第３換気扇３ｃ、および第４換気扇３ｄを備えている。なお、各換気扇は、前記第１２の実施形態に係る第１換気扇３ａ、第２換気扇３ｂ、第３換気扇３ｃ、および第４換気扇３ｄと同一の構成を備えている。システム４は、各換気扇に対して入力操作を行うための操作部を備えている。本実施形態において、第１送風ファン１０４ａおよび第２送風ファン１０４ｂの正面方向が同じ向きとなるように配置され、第３送風ファン１０４ｃおよび第４送風ファン１０４ｄは、正面方向が同じ向きとなるように配置され、さらに第１送風ファン１０４ａおよび第２送風ファン１０４ｂの正面方向と異なるように配置されている。
【０１２６】
＜システムの動作＞
本実施形態に係るシステム４の動作について、図３７を用いて説明する。図３７は、本実施形態に係るシステム４が適用された空間の模式図である。システム４において、第１換気扇３ａは、第１送風ファン１０４ａの駆動を制御する第１制御部１０２ａを備え、第２換気扇３ｂは、第２送風ファン１０４ｂの駆動を制御する第２制御部１０２ｂを備える。第３換気扇３ｃは、第３送風ファン１０４ｃの駆動を制御する第３制御部１０２ｃを備え、第４換気扇３ｄは、第４送風ファン１０４ｄの駆動を制御する第４制御部１０２ｄを備える。このように、システム４は、装置（第１換気扇３ａおよび第２換気扇３ｂ）は、上記第１の翼列部（第１送風ファン１０４ａ、第２送風ファン１０４ｂ）の駆動を制御する第１の制御部（第１制御部１０２ａ、第２制御部１０２ｂ）を備え、上記他の装置（第３換気扇３ｃおよび第４換気扇３ｄ）は、上記第２の翼列部（第３送風ファン１０４ｃ、第４送風ファン１０４ｄ）の駆動を制御する第２の制御部（第３制御部１０２ｃ、第４制御部１０２ｄ）を備え、上記第１の制御部と上記第２の制御部は、各翼列駆動部（第１送風ファン駆動部１０３ａ、第２送風ファン駆動部１０３ｂ、第３送風ファン駆動部１０３ｃ、第４送風ファン駆動部１０３ｄ）に対して所定の制御信号を供給することにより、上記第１の音の周波数と、上記第２の音の周波数との差が、脳波の誘導周波数、心拍数の誘導周波数、及び呼吸数の誘導周波数のうち何れかになるように制御する。
【０１２７】
なお、本実施形態において、第１送風ファン駆動部１０３ａから第４送風ファン駆動部１０３ｄは、第１制御部１０２ａから第４制御部１０２ｄのそれぞれからの回転数信号の伝達により回転数制御が実施されるＤＣモーターであり、制御信号である回転数指令値が変わることでモーター回転数が変化する。本実施形態に係る第１換気扇３ａから第４換気扇３ｄは、第１制御部１０２ａから第４制御部１０２ｄのそれぞれからの回転数信号の伝達により回転数制御を実施することにより、第１送風ファン１０４ａおよび第２送風ファン１０４ｂによる送風音の周波数と、第３送風ファン１０４ｃおよび第４送風ファン１０４ｄによる送風音の周波数とを異ならせる。
【０１２８】
まず、システム４は操作部（図示しない）からの指示により第１制御部１０２ａおよび第２制御部１０２ｂにて所定のモーター回転数に対応した回転数指令値を第１送風ファン駆動部１０３ａおよび第２送風ファン駆動部１０３ｂにそれぞれ送る。第３換気扇３ｃおよび第４換気扇３ｄも同様に、第３制御部１０２ｃおよび第４制御部１０２ｄにて所定のモーター回転数に対応した回転数指令値を第３送風ファン駆動部１０３ｃおよび第４送風ファン駆動部１０３ｄにそれぞれ送る。このとき、第１制御部１０２ａおよび第２制御部１０２ｂは、第１送風ファン駆動部１０３ａおよび第２送風ファン駆動部１０３ｂに値ａの回転数指令値をそれぞれ送る。第３換気扇３ｃおよび第４換気扇３ｄの第３制御部１０２ｃおよび第４制御部１０２ｄは、第３送風ファン駆動部１０３ｃおよび第４送風ファン駆動部１０３ｄに値ａ＋Δａの回転数指令値をそれぞれ送る。
【０１２９】
次に、第１送風ファン駆動部１０３ａおよび第２送風ファン駆動部１０３ｂは第１制御部１０２ａおよび第２制御部１０２ｂより送られてきた回転数指令値ａに応じてそれぞれ回転数ｒでの回転駆動を行う。そして、第３送風ファン駆動部１０３ｃおよび第４送風ファン駆動部１０３ｄは第３制御部１０２ｃおよび第４制御部１０２ｄより送られてきた回転数指令値ａ＋Δａに応じてそれぞれ回転数ｒ＋Δｒでの回転駆動を行う。
【０１３０】
そして、第１送風ファン１０４ａおよび第２送風ファン１０４ｂは、第１送風ファン駆動部１０３ａおよび第２送風ファン駆動部１０３ｂの回転駆動に伴い、回転数ｒにてそれぞれ回転する。第３送風ファン１０４ｃおよび第４送風ファン１０４ｄは第３送風ファン駆動部１０３ｃおよび第４送風ファン駆動部１０３ｄの回転駆動に伴い、回転数ｒ＋Δｒにてそれぞれ回転する。第１送風ファン１０４ａおよび第２送風ファン１０４ｂおよび第３送風ファン１０４ｃおよび第４送風ファン１０４ｄの回転により各々から風が送られ、それに伴う送風音が各々発生する。これにより、第１送風ファン１０４ａおよび第２送風ファン１０４ｂと第３送風ファン１０４ｃおよび第４送風ファン１０４ｄとの間に回転数の差Δｒが生じる。
【０１３１】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１３２】
図３７のように換気扇を設置することにより、いずれかの制御部が故障したとしても、その他の換気扇は運転することができ、空間内では、常にうなり音を聞くことができる。また、電気配線が単純になり、工事がしやすいなどのメリットがある。すなわち、システム４は、いずれかの制御部が故障した場合であっても、他の制御部に駆動が制御された翼列部を備えた複数の換気扇３が発生させ、空間内に伝搬した音が重ね合される範囲において、人を、リラックスした状態や眠りやすい状態へ誘導することが出来るという効果を奏する。
【０１３３】
［第１７の実施形態］
＜システムの構成＞
本実施形態に係る翼列部を備えた装置を含むシステム４の構成について、図３８を用いて説明する。システム４は、基本的な構成は前記第１６の実施形態に係るシステム４と同一であるが、第１制御部１０２ａから第４制御部１０２ｄまでの４つの制御部の代わりに、システム全体として１つの制御部（制御装置）１０２を備える点で相違する。なお、制御部１０２は、各部を統括して制御するものであり、第１送風ファン１０４ａから第４送風ファン１０４ｄまでの駆動を制御する。
【０１３４】
＜システムの動作＞
本実施形態に係るシステム４の動作について、図３８を用いて説明する。図３８は、本実施形態に係るシステム４が適用された空間の模式図である。本実施形態において、制御部については、空間内の換気扇全てを１つの制御部１０２で管理し、１つの制御部１０２からそれぞれの換気扇に信号が送られる。すなわち、システム４は、第１の翼列部（第１送風ファン１０４ａおよび第２送風ファン１０４ｂ）および第２の翼列部（第３送風ファン１０４ｃおよび第４送風ファン１０４ｄ）の駆動を制御する制御装置（制御部１０２）を更に含み、翼列部を駆動させる翼列駆動部は、上記第１の翼列部および上記第２の翼列部のそれぞれに対して設けられており、上記制御装置は、各翼列駆動部に対して、互いに異なる制御信号を供給することにより、第１の音の周波数と、第２の音の周波数との差が、脳波の誘導周波数、心拍数の誘導周波数、及び呼吸数の誘導周波数のうち何れかになるように制御する。
【０１３５】
なお、本実施形態において、第１送風ファン駆動部１０３ａから第４送風ファン駆動部１０３ｄは、１つの制御部１０２からの回転数信号の伝達により回転数制御が実施されるＤＣモーターであり、制御信号である回転数指令値が変わることでモーター回転数が変化する。本実施形態に係るシステム４は、制御部１０２からの回転数信号の伝達により回転数制御を実施することにより、第１送風ファン１０４ａおよび第２送風ファンによる送風音の周波数と、第３送風ファン１０４ｃおよび第４送風ファン１０４ｄによる送風音の周波数とを異ならせる。
【０１３６】
まず、システム４は操作部（図示しない）からの指示により制御部１０２にて所定のモーター回転数に対応した回転数指令値を第１送風ファン駆動部１０３ａから第４送風ファン駆動部１０３ｄに対して、それぞれ送る。このとき、制御部１０２は、第１送風ファン駆動部１０３ａおよび第２送風ファン駆動部１０３ｂに値ａの回転数指令値を、一方第３送風ファン駆動部１０３ｃおよび第４送風ファン駆動部１０３ｄに制御部１０２は、値ａ＋Δａの回転数指令値をそれぞれ送る。
【０１３７】
次に、第１送風ファン駆動部１０３ａおよび第２送風ファン駆動部１０３ｂは制御部１０２より送られてきた回転数指令値ａに応じてそれぞれ回転数ｒでの回転駆動を行う。そして、第３送風ファン駆動部１０３ｃおよび第４送風ファン駆動部１０３ｄは制御部１０２より送られてきた回転数指令値ａ＋Δａに応じてそれぞれ回転数ｒ＋Δｒでの回転駆動を行う。
【０１３８】
そして、第１送風ファン１０４ａおよび第２送風ファン１０４ｂは、第１送風ファン駆動部１０３ａおよび第２送風ファン駆動部１０３ｂの回転駆動に伴い、回転数ｒにてそれぞれ回転する。第３送風ファン１０４ｃおよび第４送風ファン１０４ｄは第３送風ファン駆動部１０３ｃおよび第４送風ファン駆動部１０３ｄの回転駆動に伴い、回転数ｒ＋Δｒにてそれぞれ回転する。第１送風ファン１０４ａおよび第２送風ファン１０４ｂ、および第３送風ファン１０４ｃおよび第４送風ファン１０４ｄの回転により各々から風が送られ、それに伴う送風音が各々発生する。これにより、第１送風ファン１０４ａおよび第２送風ファン１０４ｂと第３送風ファン１０４ｃおよび第４送風ファン１０４ｄとの間に回転数の差Δｒが生じる。
【０１３９】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１４０】
図３８のように各換気扇を設置することにより、電力供給源が１つとなり、電気配線が単純になり、作業時間の短縮が期待できる。すなわち、システム４は、１つの電力供給源から単純な電気配線によって各換気扇を配置し、空間内に伝搬した音が重ね合される範囲において、人を、リラックスした状態や眠りやすい状態へ誘導することが出来るという効果を奏する。
【０１４１】
［第１８の実施形態］
＜システムの構成＞
本実施形態に係る翼列部を備えた装置を含むシステム４の構成について、図３９を用いて説明する。システム４は、基本的な構成は前記第１７の実施形態に係るシステム４と同一であるが、第１送風ファン駆動部１０３ａおよび第２送風ファン駆動部１０３ｂの駆動を制御する第１制御部（第１の制御装置）１０２ａと、第３送風ファン駆動部１０３ｃおよび第４送風ファン駆動部１０３ｄの駆動を制御する第２制御部（第２の制御装置）１０２ｂとを備える点で相違する。また、第１送風ファン１０４ａおよび第２送風ファン１０４ｂの正面方向は同じ向きとなるように配置され、第３送風ファン１０４ｃおよび第４送風ファン１０４ｄは、正面方向が同じ向きとなるように配置され、さらに、第１送風ファン１０４ａおよび第２送風ファン１０４ｂの正面方向と異なるように配置されている。
【０１４２】
＜システムの動作＞
本実施形態に係るシステム４の動作について、図３９を用いて説明する。図３９は、本実施形態に係るシステム４が適用された空間の模式図である。本実施形態において、制御部は、各送風ファンの内、同一の正面方向を向いて配置された複数の送風ファンごとに設けられる。すなわち、本実施形態に係るシステム４は、複数の装置（第１換気扇３ａおよび第２換気扇３ｂ）と、複数の他の装置（第３換気扇３ｃおよび第４換気扇３ｄ）と、複数の上記装置における上記第１の翼列部の駆動をそれぞれ制御して、各第１の翼列部から上記第１の音を発生させる第１の制御装置（第１制御部１０２ａ）と、複数の上記他の装置における上記第２の翼列部の駆動をそれぞれ制御して、上記第１の音の周波数との差が、脳波の誘導周波数、心拍数の誘導周波数、及び呼吸数の誘導周波数のうち何れかになるような周波数の第２の音を各第２の翼列部から発生させる第２の制御装置（第２制御部１０２ｂ）と、を更に含む。
【０１４３】
なお、本実施形態において、第１送風ファン駆動部１０３ａから第４送風ファン駆動部１０３ｄは、第１制御部１０２ａおよび第２制御部１０２ｂのいずれかからの回転数信号の伝達により回転数制御が実施されるＤＣモーターであり、制御信号である回転数指令値が変わることでモーター回転数が変化する。本実施形態に係る各換気扇は、各制御部からの回転数信号の伝達により回転数制御を実施することにより、第１送風ファン１０４ａおよび第２送風ファン１０４ｂによる送風音の周波数と、第３送風ファン１０４ｃおよび第４送風ファン１０４ｄによる送風音の周波数とを異ならせる。
【０１４４】
まず、システム４は操作部（図示しない）からの指示により第１制御部１０２ａにて所定のモーター回転数に対応した回転数指令値を第１送風ファン駆動部１０３ａおよび第２送風ファン駆動部１０３ｂに、第２制御部１０２ｂにて所定のモーター回転数に対応した回転数指令値を第３送風ファン駆動部１０３ｃおよび第４送風ファン駆動部１０３ｄにそれぞれ送る。このとき、第１制御部１０２ａは、第１送風ファン駆動部１０３ａおよび第２送風ファン駆動部１０３ｂに値ａの回転数指令値を、一方第３送風ファン駆動部１０３ｃおよび第４送風ファン駆動部１０３ｄに第２制御部１０２ｂは、値ａ＋Δａの回転数指令値をそれぞれ送る。
【０１４５】
次に、第１送風ファン駆動部１０３ａおよび第２送風ファン駆動部１０３ｂは第１制御部１０２ａより送られてきた回転数指令値ａに応じてそれぞれ回転数ｒでの回転駆動を行う。そして、第３送風ファン駆動部１０３ｃおよび第４送風ファン駆動部１０３ｄは第２制御部１０２ｂより送られてきた回転数指令値ａ＋Δａに応じてそれぞれ回転数ｒ＋Δｒでの回転駆動を行う。
【０１４６】
そして、第１送風ファン１０４ａおよび第２送風ファン１０４ｂは、第１送風ファン駆動部１０３ａおよび第２送風ファン駆動部１０３ｂの回転駆動に伴い、回転数ｒにてそれぞれ回転する。第３送風ファン１０４ｃおよび第４送風ファン１０４ｄは第３送風ファン駆動部１０３ｃおよび第４送風ファン駆動部１０３ｄの回転駆動に伴い、回転数ｒ＋Δｒにてそれぞれ回転する。第１送風ファン１０４ａおよび第２送風ファン１０４ｂおよび第３送風ファン１０４ｃおよび第４送風ファン１０４ｄの回転により各々から風が送られ、それに伴う送風音が各々発生する。これにより、第１送風ファン１０４ａおよび第２送風ファン１０４ｂと第３送風ファン１０４ｃおよび第４送風ファン１０４ｄとの間に回転数の差Δｒが生じる。
【０１４７】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１４８】
図３９のように換気扇を設置することにより、電気配線が複雑にならず、また、２面の壁面を使用するため、広範囲でうなり音を聞くことができる利点がある。すなわち、システム４は、単純な電気配線で各換気扇３を配置し、空間内に伝搬した音が重ね合される広い範囲において、人を、リラックスした状態や眠りやすい状態へ誘導することが出来るという効果を奏する。
【０１４９】
［第１９の実施形態］
＜システムの構成＞
本実施形態に係る翼列部を備えた装置を含むシステム４の構成について、図４０を用いて説明する。システム４は、基本的な構成は前記第１８の実施形態に係るシステム４と同一であるが、第１制御部１０２ａが第１送風ファン駆動部１０３ａおよび第２送風ファン駆動部１０３ｂのそれぞれに互いに異なる制御信号を供給し、第２制御部１０２ｂが第３送風ファン駆動部１０３ｃおよび第４送風ファン駆動部１０３ｄのそれぞれに互いに異なる制御信号を供給する点で相違する。なお、第１送風ファン駆動部１０３ａと第３送風ファン駆動部１０３ｃに供給される制御信号は同一であり、一方、第２送風ファン駆動部１０３ｂと第４送風ファン駆動部１０３ｄに供給される制御信号もまた同一である。また、第１送風ファン１０４ａおよび第３送風ファン１０４ｃは正面方向が異なるように配置され、第２送風ファン１０４ｂおよび第４送風ファン１０４ｄもまた、正面方向が異なるように配置される。さらに、第１送風ファン１０４ａと第２送風ファン１０４ｂ、および第３送風ファン１０４ｃと第４送風ファン１０４ｄは、それぞれ正面方向が同じ向きとなるように配置されている。
【０１５０】
＜システムの動作＞
本実施形態に係るシステム４の動作について、図４０を用いて説明する。図４０は、本実施形態に係るシステム４が適用された空間の模式図である。本実施形態において、制御部は、各送風ファンの内、同一の正面方向を向いて配置された複数の送風ファンごとに設けられる。
【０１５１】
なお、本実施形態において、第１送風ファン駆動部１０３ａから第４送風ファン駆動部１０３ｄは、第１制御部１０２ａおよび第２制御部１０２ｂのいずれかからの回転数信号の伝達により回転数制御が実施されるＤＣモーターであり、制御信号である回転数指令値が変わることでモーター回転数が変化する。本実施形態に係るシステム４は、各制御部からの回転数信号の伝達により回転数制御を実施することにより、第１送風ファン１０４ａおよび第３送風ファン１０４ｃによる送風音の周波数と、第２送風ファン１０４ｂおよび第４送風ファン１０４ｄによる送風音の周波数とを異ならせる。
【０１５２】
まず、システム４は操作部（図示しない）からの指示により第１制御部１０２ａにて所定のモーター回転数に対応した回転数指令値を第１送風ファン駆動部１０３ａおよび第２送風ファン駆動部１０３ｂに、第２制御部１０２ｂにて所定のモーター回転数に対応した回転数指令値を第３送風ファン駆動部１０３ｃおよび第４送風ファン駆動部１０３ｄにそれぞれ送る。このとき、第１制御部１０２ａは、第１送風ファン駆動部１０３ａに値ａの回転数指令値を、第２送風ファン駆動部１０３ｂに値ａ＋Δａの回転数指令値を送る。
【０１５３】
一方、第３送風ファン駆動部１０３ｃに値ａの回転数指令値を、第２制御部１０２ｂは、第４送風ファン駆動部１０３ｄに値ａ＋Δａの回転数指令値をそれぞれ送る。
【０１５４】
次に、第１送風ファン駆動部１０３ａおよび第２送風ファン駆動部１０３ｂは第１制御部１０２ａより送られてきた回転数指令値ａまたは回転数指令値ａ＋Δａに応じてそれぞれ回転数ｒまたは回転数ｒ＋Δｒでの回転駆動を行う。そして、第３送風ファン駆動部１０３ｃおよび第４送風ファン駆動部１０３ｄは第２制御部１０２ｂより送られてきた回転数指令値ａまたは回転数指令値ａ＋Δａに応じてそれぞれ回転数ｒまたは回転数ｒ＋Δｒでの回転駆動を行う。
【０１５５】
そして、第１送風ファン１０４ａおよび第２送風ファン１０４ｂは、第１送風ファン駆動部１０３ａおよび第２送風ファン駆動部１０３ｂの回転駆動に伴い、回転数ｒまたは回転数ｒ＋Δｒにてそれぞれ回転する。第３送風ファン１０４ｃおよび第４送風ファン１０４ｄは第３送風ファン駆動部１０３ｃおよび第４送風ファン駆動部１０３ｄの回転駆動に伴い、回転数ｒまたは回転数ｒ＋Δｒにてそれぞれ回転する。第１送風ファン１０４ａおよび第２送風ファン１０４ｂおよび第３送風ファン１０４ｃおよび第４送風ファン１０４ｄの回転により各々から風が送られ、それに伴う送風音が各々発生する。これにより、第１送風ファン１０４ａおよび第３送風ファン１０４ｃと第２送風ファン１０４ｂおよび第４送風ファン１０４ｄとの間に回転数の差Δｒが生じる。
【０１５６】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１５７】
図４０のように換気扇を設置することにより、いずれかの制御部が故障しても、うなり音を聞くことができる。また、局所的な直接干渉域が複数できるため、空間利用の選択性が高まる。すなわち、本実施形態に係るシステム４は、いずれかの制御部が故障した場合であっても、他の制御部に駆動が制御された翼列部を備えた複数の換気扇３が発生させ、空間内に伝搬した音が重ね合される範囲において、人を、リラックスした状態や眠りやすい状態へ誘導することが出来るという効果を奏する。
【０１５８】
［第２０の実施形態］
＜システムの構成＞
本実施形態に係る翼列部を備えた装置を含むシステム４の構成について、図４１を用いて説明する。システム４は、基本的な構成は前記第１９の実施形態に係るシステム４と同一であるが、第１制御部１０２ａが第１送風ファン駆動部１０３ａおよび第３送風ファン駆動部１０３ｃの駆動を制御し、第２制御部１０２ｂが第２送風ファン駆動部１０３ｂおよび第４送風ファン駆動部１０３ｄの駆動を制御する点で相違する。なお、第１送風ファン駆動部１０３ａと第３送風ファン駆動部１０３ｃに供給される制御信号は同一であり、一方、第２送風ファン駆動部１０３ｂと第４送風ファン駆動部１０３ｄに供給される制御信号もまた同一である。
【０１５９】
＜システムの動作＞
本実施形態に係るシステム４の動作について、図４１を用いて説明する。図４１は、本実施形態に係るシステム４が適用されたた空間の模式図である。本実施形態において、システム４は、制御部と、第１の翼列部を備える装置および第２の翼列部を備える他の装置からなるユニットを複数備えている。すなわち、本実施形態に係るシステム４は、制御装置（第１制御部１０２ａおよび第２制御部１０２ｂ）と該制御装置の制御対象である上記装置（第１換気扇３ａおよび第３換気扇３ｃ）および上記他の装置（第２換気扇３ｂおよび第４換気扇３ｄ）とを構成要素とするユニットを複数含む。
【０１６０】
なお、本実施形態において、第１送風ファン駆動部１０３ａから第４送風ファン駆動部１０３ｄは、第１制御部１０２ａおよび第２制御部１０２ｂのいずれかからの回転数信号の伝達により回転数制御が実施されるＤＣモーターであり、制御信号である回転数指令値が変わることでモーター回転数が変化する。本実施形態に係るシステム４は、各制御部からの回転数信号の伝達により回転数制御を実施することにより、第１送風ファン１０４ａおよび第３送風ファン１０４ｃによる送風音の周波数と、第２送風ファン１０４ｂおよび第４送風ファン１０４ｄによる送風音の周波数とを異ならせる。
【０１６１】
まず、システム４は操作部（図示しない）からの指示により第１制御部１０２ａにて所定のモーター回転数に対応した回転数指令値を第１送風ファン駆動部１０３ａおよび第３送風ファン駆動部１０３ｃに、第２制御部１０２ｂにて所定のモーター回転数に対応した回転数指令値を第２、４送風ファン駆動部にそれぞれ送る。このとき、第１制御部１０２ａは、第１送風ファン駆動部１０３ａおよび第３送風ファン駆動部１０３ｃに値ａの回転数指令値を送る。一方、第２送風ファン駆動部１０３ｂおよび第４送風ファン駆動部１０３ｄに値ａ＋Δａの回転数指令値をそれぞれ送る。
【０１６２】
次に、第１送風ファン駆動部１０３ａおよび第３送風ファン駆動部１０３ｃは第１制御部１０２ａより送られてきた回転数指令値ａに応じてそれぞれ回転数ｒでの回転駆動を行う。そして、第２送風ファン駆動部１０３ｂおよび第４送風ファン駆動部１０３ｄは第２制御部１０２ｂより送られてきた回転数指令値ａ＋Δａに応じてそれぞれ回転数ｒ＋Δｒでの回転駆動を行う。
【０１６３】
そして、第１送風ファン１０４ａおよび第３送風ファン１０４ｃは、第１送風ファン駆動部１０３ａおよび第３送風ファン駆動部１０３ｃの回転駆動に伴い、回転数ｒにてそれぞれ回転する。第２送風ファン１０４ｂおよび第４送風ファン１０４ｄは第２送風ファン駆動部１０３ｂおよび第４送風ファン駆動部１０３ｄの回転駆動に伴い、回転数ｒ＋Δｒにてそれぞれ回転する。第１送風ファン１０４ａおよび第３送風ファン１０４ｃおよび第２送風ファン１０４ｂおよび第４送風ファン１０４ｄの回転により各々から風が送られ、それに伴う送風音が各々発生する。これにより、第１送風ファン１０４ａおよび第３送風ファン１０４ｃと第２送風ファン１０４ｂおよび第４送風ファン１０４ｄとの間に回転数の差Δｒが生じる。
【０１６４】
以上の動作により、本実施形態に係るシステム４において、送風音に含まれる翼通過音のピーク周波数の差異Δｆが生じる。この差異Δｆにより前記第１または２、４の実施形態と同様の作用効果が得られる。
【０１６５】
図４１のように各換気扇を設置することにより、うなり音を受容したくない場合、一方の制御部を停止させることでうなり音の発生を停止することができる。加えて、１つの制御部を停止させたとしても、もう一方の制御部は運転しているため、換気機能は維持されるメリットがある。すなわち、本実施形態に係るシステム４は、いずれかの制御部を停止させた場合であっても換気機能を維持しつつ、いずれの制御部も動作させた場合のみ、空間内に伝搬した音が重ね合される範囲において、人を、リラックスした状態や眠りやすい状態へ誘導することが出来るという効果を奏する。
【０１６６】
［第２１の実施形態］
＜周波数発生装置の構成＞
本実施形態に係る周波数発生装置６の概要について、図４２を用いて説明する。図４２は、本実施形態に係る周波数発生装置６の全体構成を示す概略図である。
【０１６７】
図４２の例において、周波数発生装置６は、周波数受信部２０１、計算部２１１、制御部２０２、翼列駆動部２０３、翼列部２０４、および拡張部２０５を備えている。また、図示していないが、周波数発生装置６は、翼列部２０４等の各構成要素を動作させるための内部電源を備えていてもよい。この場合、周波数発生装置６の装置サイズを人が携帯可能な程度のサイズとすることにより、携帯型の周波数発生装置６として使用することができる。また、図示していないが、周波数発生装置６は、翼列部２０４等の各構成要素を動作させるための電力を外部電源から取得する電力取得部（例えば電源プラグ）を備えていてもよく、この場合、周波数発生装置６を外部電源に接続して使用することができる。
【０１６８】
周波数受信部２０１は、周囲の騒音を受信し、その周波数ｆを検出する周波数検出部として動作するものであり、たとえばマイクロフォンである。計算部２１１は、周波数受信部２０１が受信した周囲の騒音の周波数ｆに対して、前記第１の実施形態にて示した計算方法を用いて、周波数ｆ＋Δｆを後述する翼列部２０４が発生させるために必要な回転速度を算出する。そして、制御部２０２は、各部を統括して制御するものであり、具体的には計算部２１１が算出した回転速度で後述の翼列部２０４が回転駆動するように、後述する翼列駆動部２０３を駆動させるための制御信号を送る。翼列駆動部２０３は、後述の翼列部を回転駆動させるものであり、たとえばファンモーターである。翼列部２０４は、翼列駆動部２０３の駆動によって回転し、送風音として周波数ｆ＋Δｆの音を発生させる。拡張部２０５は、翼列部２０４が発生させた周波数ｆ＋Δｆの音の音量を上昇させて出力するものであり、たとえばスピーカである。なお、拡張部２０５は無くてもよいが、周囲の騒音の音量などに基づいて、利用するか否かを判定し、切り換えることが好適である。
【０１６９】
本実施形態に係る周波数発生装置６は、周囲の騒音の周波数ｆに対して周波数ｆ＋Δｆの音を送風音として発生する。このとき、人は周波数ｆと周波数ｆ＋Δｆを同時に受容することでうなり音を知覚することができる。さらに、周波数発生装置６は、周囲の騒音の周波数ｆが変化すると、変化後の周波数に応じて新たな周波数ｆ＋Δｆである送風音を発生させることができる。
【０１７０】
＜周波数発生装置の概要＞
本実施形態に係る周波数発生装置６の概要について、図４３を用いて以下に説明する。図４３は、本実施形態に係る周波数発生装置６の外観図である。図示の例において、翼列部２０４はプロペラファンであり、さらに周波数受信部２０１、モニター（表示部）、およびスイッチ（入力部）を外観上備えている。
【０１７１】
図４３の（ａ）は翼列部２０４が１つである場合、図４３の（ｂ）は第１翼列部２０４ａおよび第２翼列部２０４ｂという２つの翼列部が直列に配置されている場合を示しており、図４３の（ｃ）は第１翼列部２０４ａおよび第２翼列部２０４ｂという２つの翼列部が独立して配置されている場合を示している。なお、図４３の（ｂ）および（ｃ）において、第１翼列部２０４ａおよび第２翼列部２０４ｂは同一のプロペラファンであってもよいし、翼枚数や大きさが異なる２つのプロペラファンの組み合わせであってもよい。たとえば、周囲の騒音の音量や周波数に応じて、いずれかの翼列部のみを駆動させる構成であってもよい。
【０１７２】
＜周波数発生装置の配置＞
図４４は本発明の周波数発生装置６が設置される主な場所についての概略図である。図示の例において、ユーザは騒音源７から離れた場所にある建物内におり、騒音源７から周波数ｆの騒音が送られているものとする。なお、ユーザは後述するうなり音の可聴範囲であれば、どの場所にいてもよく、例えば公園などの建物外にいる構成であってもよい。このとき、周波数発生装置６を、図４４における周波数発生装置６ａ〜６ｄのいずれかの場所、すなわち騒音源７が発生させた騒音の可聴範囲に設置すると、周波数発生装置６は周波数ｆである騒音に対して周波数ｆ＋Δｆである送風音を発生させる。したがって、ユーザは２つの音に基づくΔｆのうなり音を聞くことができる。なお、周波数発生装置６は１つである必要はなく、たとえば図の周波数発生装置６ａ〜６ｄの２つ以上の場所に同時に設置してもよい。
【０１７３】
図４５の（ａ）は、図４４における周波数発生装置６ａまたは６ｂの位置に周波数発生装置６を設置した図の概略図を示す。すなわち、装置（周波数発生装置６）は他の装置（騒音源７）の外部または内部に組み込まれている。周波数発生装置６ａの位置の場合、周波数発生装置６は主に騒音を発する装置に取り付けられ、騒音が単体で拡散することを防止し、騒音源７の周囲に周波数がΔｆのうなり音を伝搬させる。すなわち、他の装置（騒音源７）は屋外に設置されており、装置（周波数発生装置６）は、上記他の装置に付随して設置されている。周波数発生装置６ｂの位置の場合、周波数発生装置６は騒音を発する装置が設置されている敷地内といった、商業的に装置の騒音の影響を受ける、該装置の周囲に設置され、騒音が単体で拡散することを防止し、騒音源７の周囲に周波数がΔｆのうなり音を伝搬させる。周波数発生装置６ａおよび６ｂは、騒音源７に付随して（騒音源７に対して所定の位置となるように）配置された周波数発生装置である。ただし、周波数発生装置６ｂの位置は周波数発生装置６ａの位置とは異なり、騒音源７自体に設置されるわけではないので、一時的な騒音発生に対して有効である。
【０１７４】
図４５の（ｂ）は図４４における周波数発生装置６ｃまたは６ｄの位置に周波数発生装置６を設置した図の概略図を示す。周波数発生装置６ｃの位置の場合、周波数発生装置６は、たとえば騒音が聞こえる屋外の所定の位置（特定の地域、例えば公園）に設置され、自室といった騒音の伝搬を防ぎたい空間に対して室外からの騒音に基づいて周波数がΔｆのうなり音を伝搬させる。すなわち、他の装置（騒音源７）は屋外に設置されており、装置（周波数発生装置６）は、第１の翼列部（翼列部２０４）の駆動時に発生する上記第１の音を、上記他の装置の上記第２の翼列部から発生する上記第２の音の可聴範囲内の所定のエリアに出力する。周波数発生装置６ｄの位置の場合、周波数発生装置６は、騒音が聞こえており、該騒音の伝搬を防ぎたい屋内（例えばプライベート空間）に設置し、かつ、空間内で発生する騒音に対しても周波数がΔｆのうなり音を伝搬させる。すなわち、装置（周波数発生装置６）は、室内に設置されて、第１の音を室内に出力する。また、周波数発生装置６ｃおよび６ｄの位置に設置される周波数発生装置６は、騒音源７に対する責任を有する者が近隣住民に配布してもよい。
【０１７５】
以上の動作により、周波数発生装置６は、騒音源７に対する設置場所に応じて、いくつかの異なる作用効果を奏する。例えば、周波数発生装置６ａおよび６ｂの位置では、騒音が単体で拡散することを防止するため、騒音源７が発する第２の音を、周囲の人が不快に感じることを防ぐことができる。さらに、周波数発生装置６ａの位置では、騒音源７とその近辺から、該装置および騒音源７のそれぞれが発する第１の音および第２の音の届く範囲までの広い空間において、周波数がΔｆのうなり音を発生させ、該うなり音が脳波との同調作用を生じ、リラックスや眠りやすい状態へ人の状態を誘導することが出来る。また、周波数発生装置６ｃの位置では、所定のエリア内の空間において、脳波との同調作用を生じる低周波を発生させることが可能になる。例えば、公園などの憩いの空間において、従来は騒音と感じられていた第２の音から、ユーザをリラックスした状態に導く低周波を発生させることも可能になる。そして、周波数発生装置６ｄの位置では、室内で発生したか、または室外で発生して室内に伝わってくる第２の音を、室内の者が不快に感じることを防ぐことができる。
【０１７６】
また、周波数発生装置６が内部電源を備え、ユーザが携帯して使用可能なものである場合、ユーザの移動先において、ユーザの耳に入る第２の音を、該ユーザが不快に感じることを防ぐことができる。一方、周波数発生装置６が翼列部２０４を駆動するための電力を外部電源から取得する電力取得部を備え、据え置きとして使用可能なものである場合、該装置を外部電源のある任意の場所に設置し、その場所においてユーザの耳に入る第２の音を、該ユーザが不快に感じることを防ぐことができる。
【０１７７】
なお、周波数発生装置６は、時間帯に応じて計算部２１１が算出する速度を変更することにより、うなり音の周波数Δｆを変更することも可能である。例えば昼はα波の脳波を誘導する８−１４Ｈｚに設定することによって人をリラックスした状態にし、夜はθ波もしくはδ波の脳波を誘導する４Ｈｚ以下に設定することにより、人を眠りやすい状態に誘導する構成であってもよい。また、受容者はシーンに合わせて周波数を任意に変更してもよい。
【０１７８】
［第２２の実施形態］
＜周波数発生装置の構成＞
本実施形態に係る周波数発生装置６の概要について、図４６を用いて説明する。図４６は、騒音源である風力発電装置７のナセル部分の外部に設置された周波数発生装置６の側面図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。風力発電装置７の構成は主に、風を受けるブレード、発電装置を囲むナセル、ブレードとナセルを支えるタワーである。すなわち、本実施形態に係る周波数発生装置６は、図４４の周波数発生装置６ａの位置に配置されている。
【０１７９】
＜周波数発生装置の動作＞
本実施形態に係る周波数発生装置６の動作について、図４６を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、風力発電装置７から発する周波数ｆの騒音に対して、周波数ｆ＋Δｆの送風音を発生させることにより、周波数Δｆのうなり音をユーザに提供する。
【０１８０】
まず、風力発電装置７のブレードが風を受け回転することで生じるブレード後縁の騒音、及び翼端渦騒音が発生し、周波数ｆの騒音が周囲へ伝播する。そして、ユーザを含む騒音受容者に、周波数ｆの騒音が受容される。
【０１８１】
一方、周波数発生装置６は騒音の周波数ｆを周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０１８２】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０１８３】
以上の動作により、本実施形態に係る周波数発生装置６と風力発電装置７のそれぞれにおいて発生させた音について、周波数の差異Δｆが生じる。この差異Δｆにより前記第１または２、４の実施形態と同様の作用効果が得られる。
【０１８４】
図４６のように周波数発生装置を騒音源のブレードの下流のナセル外部に設置することで、風を受けブレードにより発生するスイィッシュ音やサンプ音などの騒音が周囲に伝搬することを防ぎ、また、生じるうなり音によるリラックス効果が期待でき、人間は元より周辺環境の保全へと繋がる利点がある。
【０１８５】
［第２３の実施形態］
＜周波数発生装置の構成＞
本実施形態に係る周波数発生装置６の概要について、図４７を用いて説明する。図４７は、騒音源である風力発電装置７のタワーの外部に設置された周波数発生装置６の側面図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。風力発電装置７の構成は主に、風を受けるブレード、発電装置を囲むナセル、ブレードとナセルを支えるタワーである。すなわち、本実施形態に係る周波数発生装置６は、図４７の周波数発生装置６ａの位置に配置されている。
【０１８６】
＜周波数発生装置の動作＞
本実施形態に係る周波数発生装置６の動作について、図４７を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、風力発電装置７から発する周波数ｆの騒音に対して、周波数ｆ＋Δｆの送風音を発生させることにより、周波数Δｆのうなり音をユーザに提供する。
【０１８７】
まず、風力発電装置７のブレードが風を受け回転し、生じる気流がタワーと干渉し騒音を発生する。この騒音は周波数ｆであり周囲へ伝播する。そして、ユーザを含む騒音受容者に、周波数ｆの騒音が受容される。
【０１８８】
一方、周波数発生装置はタワーで生じる衝突音の周波数ｆを周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０１８９】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０１９０】
以上の動作により、本実施形態に係る周波数発生装置６と風力発電装置７のそれぞれにおいて発生させた音について、周波数の差異Δｆが生じる。この差異Δｆにより前記第１または２、４の実施形態と同様の作用効果が得られる。
【０１９１】
図４７のようにブレードとタワーの干渉により生じる低周波数帯域に特化した対策が可能になり、効果的なうなり音の発生ができる。
【０１９２】
［第２４の実施形態］
＜周波数発生装置の構成＞
本実施形態に係る周波数発生装置６の概要について、図４８を用いて説明する。図４８は、騒音源である風力発電装置７のナセルに設置された周波数発生装置６の側面図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。風力発電装置７の構成は主に、風を受けるブレード、発電装置を囲むナセル、ブレードとナセルを支えるタワーである。すなわち、本実施形態に係る周波数発生装置６は、図４４の周波数発生装置６ａの位置に配置されている。
【０１９３】
＜周波数発生装置の動作＞
本実施形態に係る周波数発生装置の動作について、図４８を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、風力発電装置７から発する周波数ｆの騒音に対して、周波数ｆ＋Δｆの送風音を発生させることにより、周波数Δｆのうなり音をユーザに提供する。
【０１９４】
まず、風力発電装置のナセル部分から周波数ｆの騒音が発生する。ナセルから発生する騒音は大きく２つあり、１つはブレードにより生じた気流がナセルの表面から剥離し乱流となり生じる騒音と、ナセル内の発電機などの機械が発する騒音が排気口からナセル外部に漏れる騒音がある。発生した周波数ｆの騒音は、ユーザを含む騒音受容者に、周波数ｆの騒音として受容される。
【０１９５】
一方、周波数発生装置はナセル周辺で生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０１９６】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０１９７】
以上の動作により、本実施形態に係る周波数発生装置６と風力発電装置７のそれぞれにおいて発生させた音について、周波数の差異Δｆが生じる。この差異Δｆにより前記第１または２、４の実施形態と同様の作用効果が得られる。
【０１９８】
図４８のように周波数発生装置をナセルに設置することで、ナセル内で発生する共鳴音が周囲に伝搬することを防ぎ、かつ、周波数のピーク成分を持つためブレードなどの空力音よりも耳につきやすい、機械音を効果的に減少させ、風力発電装置設置による音環境への悪影響を最小限にすることが可能となる。
【０１９９】
［第２５の実施形態］
＜周波数発生装置の構成＞
本実施形態に係る周波数発生装置の概要について、図４９を用いて説明する。図４９は、騒音源である風力発電装置７付近の地表に設置された周波数発生装置の側面図を示す。本実施形態に係る周波数発生装置は、上述の実施形態における周波数発生装置と同様に、周波数受信部２０１、制御部２０２、計算部２１１、翼列駆動部２０３、および翼列部２０４を備えている。ただし、本実施形態の周波数受信部２０１は、風力発電装置７が発生させる振動の周波数を検出する。また、本実施形態に係る周波数発生装置は、翼列部２０４の回転駆動によって、所定の周波数である振動を発生させる。例えば、翼列部２０４を回転駆動させる翼列駆動部２０３の回転軸に重りを固定する。この重りによって重心に偏りが生じ、回転軸の中心がずれた結果、回転駆動の際、振動が発生する。発生する振動は、制御部２０２からの制御信号によって制御された、翼列駆動部２０３の回転数によって決定される。これにより、本実施形態に係る周波数発生装置は、所定の周波数である振動を発生させることができる。
【０２００】
風力発電装置７の構成は主に、風を受けるブレード、発電装置を囲むナセル、ブレードとナセルを支えるタワーである。すなわち、本実施形態に係る周波数発生装置は、図４４の周波数発生装置６ｂの位置に配置されている。
【０２０１】
＜周波数発生装置の動作＞
本実施形態に係る周波数発生装置の動作について、図４９を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置は、風力発電装置７から発する周波数ｆの振動に対して、周波数ｆ＋Δｆの振動を発生させることにより、音ではなく振動としてうなり音に似た振動をユーザに提供する。
【０２０２】
まず、運転している風力発電装置７から周波数ｆの振動が発生する。発生した周波数ｆの振動は、地面を伝わりユーザを含む振動受容者に、周波数ｆの振動として受容される。
【０２０３】
一方、周波数発生装置は風力発電装置７周辺で生じる周波数ｆの振動を周波数受信部２０１にて検出する。計算部２１１では、周波数受信部２０１で受けた周波数ｆに対して、翼列部２０４の回転駆動による振動の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの振動を発生させる。したがって、周波数発生装置は装置外の地中に周波数ｆ+Δｆの振動を伝搬させる。そして、ユーザを含む振動受容者は周波数ｆ+Δｆの振動を受容する。
【０２０４】
前記各実施形態と同様に、同一空間に周波数ｆと周波数ｆ+Δｆが存在する場合、周波数同士が互いに干渉し合い、周波数Δｆのうなり音に似た振動が発生する。ユーザを含む振動受容者は周波数Δｆのうなり音に似た振動、いわゆるモノラルビートを受容することができる。
【０２０５】
以上の動作により、本実施形態に係る周波数発生装置と風力発電装置７のそれぞれにおいて、周波数の差異Δｆが生じる。この差異Δｆにより前記第１または２、４の実施形態と同様の作用効果が得られる。
【０２０６】
図４９のように周波数発生装置を地表に設置することで、風力発電装置で発生する振動が周囲に伝搬することを防ぎ、音ではなく振動としてうなり音に似た振動が体に伝わることで、静寂が必要な環境でもうなり音を気にせずに本発明の効果を得ることができる。
【０２０７】
［第２６の実施形態］
＜周波数発生装置の構成＞
本実施形態に係る周波数発生装置６の概要について、図５０を用いて説明する。図５０は、騒音源である複数の風力発電装置を有する風力発電施設７の付近に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。風力発電装置の構成は主に、風を受けるブレード、発電装置を囲むナセル、ブレードとナセルを支えるタワーである。すなわち、本実施形態に係る周波数発生装置６は、図４４の周波数発生装置６ｂの位置に配置されている。
【０２０８】
＜周波数発生装置の動作＞
本実施形態に係る周波数発生装置６の動作について、図５０を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、風力発電施設７から発する周波数ｆの騒音に対して、周波数ｆ＋Δｆの送風音を発生させることにより、周波数Δｆのうなり音をユーザに提供する。
【０２０９】
まず、運転している風力発電装置のそれぞれから騒音が発生し、風力発電施設７の全体として、周波数ｆの騒音が発生する。発生した周波数ｆの騒音は、空気中を伝播しユーザを含む騒音受容者に、周波数ｆの騒音として受容される。
【０２１０】
一方、周波数発生装置６は風力発電施設７の周辺で生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２１１】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０２１２】
以上の動作により、本実施形態に係る周波数発生装置６と風力発電施設７のそれぞれにおいて発生させた音について、周波数の差異Δｆが生じる。この差異Δｆにより前記第１または２、４の実施形態と同様の作用効果が得られる。
【０２１３】
図５０のように複数の風力発電装置を有する風力発電施設７に対し１つの周波数発生装置６を設置することで、風力発電施設７から発生する複数で大きな騒音をまとめて対処し、風力発電施設７から騒音を発生させずにすみ、かつ、風力発電装置ごとに周波数発生装置６を設置するコストを削減することができるメリットがある。
【０２１４】
［第２７の実施形態］
＜周波数発生装置の構成＞
本実施形態に係る周波数発生装置６の概要について、図５１を用いて説明する。図５１は、騒音源である複数の風力発電装置を有する風力発電施設７からの騒音が聞こえる、ユーザを含む騒音受容者が生活する地域に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。風力発電装置の構成は主に、風を受けるブレード、発電装置を囲むナセル、ブレードとナセルを支えるタワーである。すなわち、本実施形態に係る周波数発生装置６は、図４４の周波数発生装置６ｃの位置に配置されている。
【０２１５】
＜周波数発生装置の動作＞
本実施形態に係る周波数発生装置６の動作について、図５１を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、風力発電施設７から発する周波数ｆの騒音に対して、周波数ｆ＋Δｆの送風音を発生させることにより、周波数Δｆのうなり音をユーザに提供する。
【０２１６】
まず、運転している風力発電装置のそれぞれから騒音が発生し、風力発電施設７の全体として、周波数ｆの騒音が発生する。発生した周波数ｆの騒音は、空気中を伝播しユーザを含む騒音受容者に、周波数ｆの騒音として受容される。
【０２１７】
一方、周波数発生装置６は風力発電施設７で生じた周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２１８】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０２１９】
以上の動作により、本実施形態に係る周波数発生装置６と風力発電施設７のそれぞれにおいて発生させた音について、周波数の差異Δｆが生じる。この差異Δｆにより前記第１または２、４の実施形態と同様の作用効果が得られる。
【０２２０】
図５１のように複数の風力発電装置を有する風力発電施設７からの騒音が聞こえる、ユーザを含む騒音受容者が生活する地域に１つの周波数発生装置６を設置することで、ユーザを含む騒音受容者の周辺環境で聞こえる騒音に対し、適切な周波数ｆ+Δｆを提供することができる利点がある。
【０２２１】
［第２８の実施形態］
＜周波数発生装置の構成＞
本実施形態に係る周波数発生装置６の概要について、図５２を用いて説明する。図５２は、１つの翼列部を有する機械を保持する工場施設７の付近に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。すなわち、本実施形態に係る周波数発生装置６は、図４４の周波数発生装置６ｂの位置に配置されている。
【０２２２】
＜周波数発生装置の動作＞
本実施形態に係る周波数発生装置の動作について、図５２を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、工場施設７から発する周波数ｆの騒音に対して、周波数ｆ＋Δｆの送風音を発生させることにより、周波数Δｆのうなり音をユーザに提供する。
【０２２３】
まず、運転している工場施設７から周波数ｆの騒音が発生する。発生した周波数ｆの騒音は、空気中を伝播しユーザを含む騒音受容者に、周波数ｆの騒音として受容される。
【０２２４】
一方、周波数発生装置６は工場施設７の周辺で生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２２５】
前記各実施形態と同様に、同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０２２６】
以上の動作により、本実施形態に係る周波数発生装置６と工場施設７のそれぞれにおいて発生させた音について、周波数の差異Δｆが生じる。この差異Δｆにより前記第１または２、４の実施形態と同様の作用効果が得られる。
【０２２７】
図５２のように工場施設７の周辺に周波数発生装置６を設置することで、工場機械の騒音自体をうなり音にすることで、耳障りな機械音をなくし、かつ工場周辺に居住する住民に対し、うなり音によるリラックス効果が期待できる利点がある。
【０２２８】
［第２９の実施形態］
＜周波数発生装置の構成＞
本実施形態に係る周波数発生装置６の概要について、図５３を用いて説明する。図５３は、１つの翼列部を有する機械を保持する工場施設７と工場施設７からの騒音が聞こえる室内に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。１つの翼列部を有する機械は、操作部、制御部、駆動部、そして、翼列部が設けられている。すなわち、本実施形態に係る周波数発生装置６は、図４４の周波数発生装置６ｄの位置に配置されている。
【０２２９】
＜周波数発生装置の動作＞
本実施形態に係る周波数発生装置６の動作について、図５３を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、工場施設７から発する周波数ｆの騒音に対して、周波数ｆ＋Δｆの送風音を発生させることにより、周波数Δｆのバイノーラルビートをユーザに提供する。
【０２３０】
まず、運転している工場機械を保持する工場施設７から周波数ｆの騒音が発生する。発生した周波数ｆの騒音は、空気中を伝播しユーザを含む騒音受容者に周波数ｆの騒音として受容される。
【０２３１】
一方、周波数発生装置６は工場機械を保持する工場施設７から生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２３２】
ユーザを含む騒音受容者は、工場施設７からの周波数ｆと周波数発生装置６からの周波数ｆ+Δｆを同時に耳から受容する。この時、片耳から周波数ｆを、もう一方の耳から周波数ｆ+Δｆを受容すると、周波数ｆと周波数ｆ+Δｆの差である周波数Δｆのうなり音を聴覚で感じるとこは無いものの脳内で知覚する、いわゆるバイノーラルビートが発生する。
【０２３３】
以上の動作により、本実施形態に係る周波数発生装置６と工場施設７のそれぞれにおいて発生させた音について、周波数の差異Δｆが生じる。この差異Δｆにより前記第１または２、４の実施形態と同様の作用効果が得られる。
【０２３４】
図５３のように工場施設７からの騒音が聞こえる室内に周波数発生装置６を設置することで、機械音に敏感な住民に対し、住民の生活に合わせたタイミングでうなり音の発生させることが可能となり、暮らしの質の向上が期待できる。
【０２３５】
［第３０の実施形態］
＜周波数発生装置の構成＞
本実施形態に係る周波数発生装置６の概要について、図５４を用いて説明する。図５４は、１つの翼列部を有する機械を保持する工場施設７内に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。１つの翼列部を有する機械は、操作部、制御部、駆動部、そして、翼列部が設けられている。すなわち、本実施形態に係る周波数発生装置６は、図４４の周波数発生装置６ａの位置に配置されている。
【０２３６】
＜周波数発生装置の動作＞
本実施形態に係る周波数発生装置の動作について、図５４を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、工場施設７から発する周波数ｆの騒音に対して、周波数ｆ＋Δｆの送風音を発生させることにより、周波数Δｆのうなり音をユーザに提供する。
【０２３７】
まず、運転している工場機械を保持する工場施設７から周波数ｆの騒音が発生する。発生した周波数ｆの騒音は、空気中を伝播しユーザを含む騒音受容者に、周波数ｆの騒音として受容される。
【０２３８】
一方、周波数発生装置６は工場施設７内で生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２３９】
同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０２４０】
以上の動作により、本実施形態に係る周波数発生装置６と工場施設７のそれぞれにおいて発生させた音について、周波数の差異Δｆが生じる。この差異Δｆにより前記第１または２、４の実施形態と同様の作用効果が得られる。
【０２４１】
図５４のように工場施設７内に周波数発生装置６を設置することで、工場機械の騒音自体をうなり音に変化させることで、機械操縦者や工場施設内で働く従業員の労働環境の改善となり、リラックス効果から労働災害の防止が期待され、かつ、騒音性難聴の予防に繋がる可能性があるというメリットがある。
【０２４２】
［第３１の実施形態］
＜周波数発生装置の構成＞
本実施形態に係る周波数発生装置６の概要について、図５５を用いて説明する。図５５は、１つの翼列部を有する機械を保持する建設現場７の付近に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。１つの翼列部を有する機械は、操作部、制御部、駆動部、そして、翼列部が設けられている。すなわち、本実施形態に係る周波数発生装置６は、図４４の周波数発生装置６ｂの位置に配置されている。
【０２４３】
＜周波数発生装置の動作＞
本実施形態に係る周波数発生装置６の動作について、図５５を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、建設現場７から発する周波数ｆの騒音に対して、周波数ｆ＋Δｆの送風音を発生させることにより、周波数Δｆのうなり音をユーザに提供する。
【０２４４】
まず、運転している１つの翼列部を有する機械を保持する建設現場７から周波数ｆの騒音が発生する。発生した周波数ｆの騒音は、空気中を伝播しユーザを含む騒音受容者に、周波数ｆの騒音として受容される。
【０２４５】
一方、周波数発生装置６は建設現場７の周辺で生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２４６】
同一空間に周波数ｆと周波数ｆ+Δｆが存在する場合、周波数同士が互いに干渉し合い、周波数Δｆのうなり音が発生する。ユーザを含む騒音受容者は周波数Δｆのうなり音、いわゆるモノラルビートを受容することができる。
【０２４７】
以上の動作により、本実施形態に係る周波数発生装置６と建設現場７のそれぞれにおいて発生させた音について、周波数の差異Δｆが生じる。この差異Δｆにより前記第１または２、４の実施形態と同様の作用効果が得られる。
【０２４８】
図５５のように建設現場７の周辺に周波数発生装置６を設置し、建設現場７の騒音自体をうなり音にすることで、通常であれば近隣住民から苦情が出るレベルの建設機械稼働状況であっても、周波数発生装置６を利用することで住民の騒音に対する閾値を上げることへと繋がり、建設効率があがる利点がある。
【０２４９】
［第３２の実施形態］
＜周波数発生装置の構成＞
本実施形態に係る周波数発生装置６の概要について、図５６を用いて説明する。図５６は、１つの翼列部を有する機械を保持する建設現場７と建設現場７からの騒音が聞こえる室内に１つの周波数発生装置６を設置した概略図を示す。本実施形態に係る周波数発生装置６は前記図４２の構成と同様に周波数受信部２０１、計算部２１１、制御部２０２、翼列駆動部２０３、翼列部２０４、および拡張部２０５が設けられている。１つの翼列部を有する機械は、操作部、制御部、駆動部、そして、翼列部が設けられている。すなわち、本実施形態に係る周波数発生装置６は、図４４の周波数発生装置６ｄの位置に配置されている。
【０２５０】
＜周波数発生装置の動作＞
本実施形態に係る周波数発生装置の動作について、図５６を用いて説明する。なお、本実施形態において、翼列駆動部２０３は、制御部２０２からの回転数信号の伝達により回転数制御が実施されるＤＣモーターであり、制御信号である回転数指令値が変わることでモーター回転数が変化する。本実施形態に係る周波数発生装置６は、工場施設７から発する周波数ｆの騒音に対して、周波数ｆ＋Δｆの送風音を発生させることにより、周波数Δｆのバイノーラルビートをユーザに提供する。
【０２５１】
まず、運転している１つの翼列部を有する機械を保持する建設現場７から周波数ｆの騒音が発生する。発生した周波数ｆの騒音は、空気中を伝播しユーザを含む騒音受容者に周波数ｆの騒音として受容される。
【０２５２】
一方、周波数発生装置６は建設現場７から生じる周波数ｆの騒音を周波数受信部２０１で受ける。計算部２１１では、周波数受信部２０１で受けた周波数ｆに対して、翼列部２０４の回転駆動による送風音の周波数がｆ+Δｆとなるような回転速度を算出する。制御部２０２では、計算部２１１で算出した回転速度で翼列駆動部２０３を駆動させるための制御信号を送る。翼列駆動部２０３は、制御信号に基づいて翼列部２０４を回転駆動させ、周波数ｆ＋Δｆの送風音を発生させる。そして、拡張部２０５は、翼列部２０４が発生させた周波数ｆ＋Δｆの送風音の音量を上昇させて出力する。したがって、周波数発生装置６は装置外の空気中に周波数ｆ+Δｆの送風音を伝搬させる。そして、ユーザを含む騒音受容者は周波数ｆ+Δｆの音を受容する。
【０２５３】
ユーザを含む騒音受容者は、工場施設７からの周波数ｆと周波数発生装置６からの周波数ｆ+Δｆを同時に耳から受容する。この時、片耳から周波数ｆを、もう一方の耳から周波数ｆ+Δｆを受容すると、周波数ｆと周波数ｆ+Δｆの差である周波数Δｆのうなり音を聴覚で感じるとこは無いものの脳内で知覚する、いわゆるバイノーラルビートが発生する。
【０２５４】
以上の動作により、本実施形態に係る周波数発生装置６と建設現場７のそれぞれにおいて発生させた音について、周波数の差異Δｆが生じる。この差異Δｆにより前記第１または２、４の実施形態と同様の作用効果が得られる。
【０２５５】
図５６のように建設現場７からの騒音が聞こえる室内に周波数発生装置６を設置することで、夜間工事の際の騒音が発生したとしても、眠りにつきやすいうなり音を発生させることで、工事騒音によるストレスを軽減することができる。
【０２５６】
〔参考例〕
前記各実施形態は、２つの送風音の差が脳波の誘導周波数、心拍数の誘導周波数、及び呼吸数の誘導周波数のうち何れかになる構成であったが、送風音に限らずとも、同様の作用効果を奏することが可能である。以下に、送風音以外の音を用いる例について説明する。
【０２５７】
［参考例１］
＜システムの構成＞
本参考例に係る翼列部を備える装置を含むシステム４の構成について、図５７を用いて説明する。図５７は、システム４が適用された空間の側面図である。図示の例において、システム４は、特定の周波数を有する音を受け付けると、該入射音の周波数とは異なる特定の周波数を有する反射音を発生させる送風音反射板８および換気扇３を備えている。
【０２５８】
＜送風音反射板の構成＞
本参考例に係る送風音反射板８の構成について、以下に説明する。送風音反射板８は、各部を統括して制御する制御部１２２、特定の周波数を有する入射音を受け付けると、該入射音の周波数とは異なる特定の周波数を有する反射音を発生させる反射音発生部１２３を備えている。本参考例において、送風音反射板８は、周波数ｆである音を入射音として受け付けると、周波数ｆ＋Δｆである反射音を発生させる。
【０２５９】
＜換気扇の構成＞
本参考例に係る換気扇３は、前記第９の実施形態に係る換気扇３の構成と同様に送風ファン１０４と制御部１０２、送風ファン駆動部１０３、フランジ部、パイプ１０１、ファンガード１０５が設けられている。
【０２６０】
＜システムの動作＞
本参考例に係るシステム４の動作について、図５７を用いて説明する。なお、本参考例において、換気扇３の送風ファン駆動部１０３は、制御部１０２からの回転数信号の伝達により回転数制御が実施されるＤＣモーターであり、制御信号である回転数指令値が変わることでモーター回転数が変化する。また、送風音反射板８は、反射音発生部１２３を用いて、特定の周波数ｆを有する音を受けるとその音を別の特定の周波数ｆ＋Δｆを有する音に変えることができる。
【０２６１】
まず、換気扇３は、操作部（図示しない）からの指示により制御部１０２にて所定のモーター回転数に対応した回転数指令値を送風ファン駆動部１０３に送る。
【０２６２】
次に、送風ファン駆動部１０３は制御部１０２より送られてきた回転数指令値ａに応じて回転数ｒでの回転駆動を行う。そして、送風ファン１０４は、送風ファン駆動部１０３の回転駆動に伴い、回転数ｒにて回転する。送風ファン１０４の回転により風が送られ、それに伴う送風音が発生する。
【０２６３】
一方、送風音反射板８は、特定の周波数ｆを有する音を受け、その周波数を反射音発生部１２３を用いて反射させる際は別の特定の周波数ｆ+Δｆを発生する。
【０２６４】
以上の動作により、本参考例に係る送風音反射板８において、換気扇３の送風音に含まれる翼通過音のピーク周波数と送風音反射板８の反射音の周波数の差異Δｆが生じる。この差異Δｆにより前記第１または２、４の実施形態と同様の作用効果が得られる。
【０２６５】
図５７の配置のように、送風音反射板８を設けることで、１つ以上の既存の換気扇がある空間でれば、新たな換気扇の設置工事を行わずにうなり音を聞くことができるというメリットがある。
【０２６６】
［参考例２］
＜システムの構成＞
本参考例に係る翼列部を備える装置を含むシステム４の構成について、図５８を用いて説明する。図５８は、システム４が適用された空間の側面図である。図示の例において、システム４は、必要に応じて所定の周波数を有する音を出力する音発生装置９、および換気扇３を備えている。
【０２６７】
＜音発生装置の構成＞
本参考例に係る音発生装置９の構成について、以下に説明する。音発生装置９は、各部を統括して制御する制御部１３２、制御部１３２から所定の信号を受けると振動面を振動させて所定の周波数を有する音を発生させる音発生部１３３をさらに備える。音発生部１３３は、音を発生させることが可能な構成であればどのようなものであってもよく、たとえば、通常は歌や音楽を出力し、必要に応じて所定の周波数を有する音を発生させるスピーカである。本参考例において、音発生装置９は、周波数ｆである音に対応する信号を受けると振動面を振動させて周波数ｆ＋Δｆである音を発生させる。また、音発生装置９が音発生部１３３を用いて発生させる音の周波数は、予め設定されたものであってもよいし、外部の音の周波数に基づいて随時変化するものであってもよい。
【０２６８】
＜換気扇の構成＞
本参考例に係る換気扇３は、前記第９の実施形態に係る換気扇３の構成と同様に送風ファン１０４と制御部１０２、送風ファン駆動部１０３、フランジ部、パイプ１０１、ファンガード１０５が設けられている。
【０２６９】
＜システムの動作＞
本参考例に係るシステム４の動作について、図５８を用いて説明する。なお、本参考例において、送風ファン駆動部１０３は、制御部１０２からの回転数信号の伝達により回転数制御が実施されるＤＣモーターであり、制御信号である回転数指令値が変わることでモーター回転数が変化する。また、音発生装置９の音発生部１３３は、制御部１３２からの信号の伝達により、特定の音を発生させることができる。本参考例に係るシステム４は、音発生装置９が、換気扇３による周波数ｆの送風音に対して、周波数ｆ＋Δｆの音を発生させることにより、周波数Δｆのうなり音をユーザに提供する。
【０２７０】
まず、換気扇３は、操作部（図示しない）からの指示により制御部１０２にて所定のモーター回転数に対応した回転数指令値を送風ファン駆動部１０３に送る。この時、制御部１０２は送風ファン駆動部１０３には値ａの回転数指令値を送る。
【０２７１】
次に、送風ファン駆動部１０３は制御部１０２より送られてきた回転数指令値ａに応じて回転数ｒでの回転駆動を行う。そして、送風ファン１０４は、送風ファン駆動部１０３の回転駆動に伴い、回転数ｒにて回転する。送風ファン１０４の回転により風が送られ、それに伴う送風音が発生する。
【０２７２】
一方、音発生装置９は、所定の信号を受け振動面を振動させ、周波数ｆ+Δｆを発生する。
【０２７３】
以上の動作により、本参考例に係る音発生装置９において、換気扇３の送風音に含まれる翼通過音のピーク周波数と音発生装置９の発生させた音の周波数の差異Δｆが生じる。この差異Δｆにより前記第１または２、４の実施形態と同様の作用効果が得られる。
【０２７４】
図５９は送風音が聞こえる範囲を示す概略図である。うなり音のソースを音発生装置９にすることにより、工事が必要な換気扇を２つ以上設置する必要が無くなり、かつ、換気扇３の停止時に音発生装置９を単独で利用し歌を聴くことができ、空間利用の自由度が広がる。さらに、持ち運び式の音発生装置９の場合、利用者が適宜場所を設定し、その場所でうなり音を聞くことができる利便性を提供することができる。
【０２７５】
〔まとめ〕
本発明の態様１に係る装置（１、２、３、５、６）は、複数の翼からなる翼列を含む第１の翼列部（１４、５１、１０４、２０４）を備えた装置であって、上記第１の翼列部の駆動時に発生する第１の音の周波数と、上記装置が備えているか、または他の装置（３、５、７）が備えている、複数の翼からなる翼列を含む第２の翼列部（１５、５２、１０４）の駆動時に発生する第２の音の周波数との差が、脳波の誘導周波数、心拍数の誘導周波数、及び呼吸数の誘導周波数のうち何れかになるように構成されている。
【０２７６】
上記の構成によれば、装置は、２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、リラックスや眠りやすい状態へ人の状態を誘導することが出来るという効果を奏する。
【０２７７】
本発明の態様２に係る装置（１、２）は、上記態様１において、上記第２の翼列部（１５、５２）を備えている構成としてもよい。
【０２７８】
上記の構成によれば、装置は、自らが備える２つの翼列部の駆動時に発生する２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、リラックスや眠りやすい状態へ人の状態を誘導することが出来るという効果を奏する。
【０２７９】
本発明の態様３に係る装置（１、２）は、上記態様２において、上記第１の翼列部（１４、５１）および上記第２の翼列部（１５、５２）の駆動を制御する制御部（１１、５０）を更に備える構成としてもよい。
【０２８０】
上記の構成によれば、装置は、制御部が２つの翼列部の駆動を制御することにより、自らが備える２つの翼列部の駆動時に発生する２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、リラックスや眠りやすい状態へ人の状態を誘導することが出来るという効果を奏する。
【０２８１】
本発明の態様４に係る装置（１、２）は、上記態様３において、翼列部を駆動させる翼列駆動部（１２、１３、５３、５４）は、上記第１の翼列部（１４、５１）および上記第２の翼列部（１５、５２）のそれぞれに対して設けられており、上記制御部（１１、５０）は、各翼列駆動部に対して、互いに異なる制御信号を供給することにより、上記第１の音の周波数と、上記第２の音の周波数との差が、脳波の誘導周波数、心拍数の誘導周波数、及び呼吸数の誘導周波数のうち何れかになるように制御する構成としてもよい。
【０２８２】
上記の構成によれば、装置は、各翼列駆動部に対して互いに異なる制御信号を供給することにより、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２８３】
本発明の態様５に係る装置（１、２）は、上記態様２において、上記第１の翼列部（１４、５１、６３）の翼枚数と、上記第２の翼列部（１５、５２、６４）の翼枚数が互いに異なることにより、上記第１の音の周波数と、上記第２の音の周波数との差が、脳波の誘導周波数、心拍数の誘導周波数、及び呼吸数の誘導周波数のうち何れかになる構成としてもよい。
【０２８４】
上記の構成によれば、装置は、翼枚数が互いに異なる２つの翼列部の間で各翼列部による送風音の周波数を互いに異ならせることにより、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２８５】
本発明の態様６に係る装置（２）は、上記態様２において、上記第１の音は、上記第１の翼列部（５１）の駆動時に発生する送風音であり、上記第２の音は、上記第２の翼列部（５２）の駆動時に発生する送風音であり、上記第１の翼列部の送風路には、第１の送風抵抗部材（７１）が設けられており、上記第２の翼列部の送風路には、第２の送風抵抗部材（７２）が設けられており、上記第１の送風抵抗部材と上記第２の送風抵抗部材との間で送風抵抗が互いに異なることにより、上記第１の音の周波数と、上記第２の音の周波数との差が、脳波の誘導周波数、心拍数の誘導周波数、及び呼吸数の誘導周波数のうち何れかになる構成としてもよい。
【０２８６】
上記の構成によれば、装置は、２つの送風抵抗部材により、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２８７】
本発明の態様７に係る装置（２）は、上記態様６において、上記第１の送風抵抗部材（７１）および上記第２の送風抵抗部材（７２）の少なくとも１つの動作を制御することにより、上記第１の送風抵抗部材と上記第２の送風抵抗部材とで送風抵抗を互いに異ならせる抵抗制御部（５０）を更に備える構成としてもよい。
【０２８８】
上記の構成によれば、装置は、複数の送風抵抗部材のうち少なくとも１つの送風抵抗部材の動作を制御することにより、該送風抵抗部材の送風抵抗を他の送風抵抗部材の送風抵抗と互いに異ならせることにより、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２８９】
本発明の態様８に係る装置（１）は、上記態様３において、翼列部を駆動させる翼列駆動部（１２、１３）は、上記第１の翼列部（１４）および上記第２の翼列部（１５）のそれぞれに対して設けられており、当該装置は、上記制御部（１１）が出力する制御電圧を降下させる抵抗（４１）を更に備え、上記第１の翼列部を駆動させる第１の翼列駆動部（１２）には上記制御部が出力する制御電圧が入力され、上記第２の翼列部を駆動させる第２の翼列駆動部（１３）には上記抵抗により電圧降下された制御電圧が入力されることより、上記第１の音の周波数と、上記第２の音の周波数との差が、脳波の誘導周波数、心拍数の誘導周波数、及び呼吸数の誘導周波数のうち何れかになる構成としてもよい。
【０２９０】
上記の構成によれば、装置は、制御部が複数の翼列駆動部に対して同一の制御電圧を供給する構成であっても、抵抗により、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２９１】
本発明の態様９に係る装置は、上記態様３において、上記第１の音は、上記第１の翼列部の駆動時に発生する送風音であり、上記第２の音は、上記第２の翼列部の駆動時に発生する送風音であり、上記第１の翼列部の送風方向と、上記第２の翼列部の送風方向とを変更する制御部を備えている構成としてもよい。
【０２９２】
上記の構成によれば、装置は、第１の翼列部の送風方向と、第２の翼列部の送風方向とを変更することにより、２つの翼列部の駆動時に発生する２つの音の周波数の差異に相当する周波数の音を発生することを可能とする。したがって、発生した低周波音が脳波との同調作用を生じ、リラックスや眠りやすい状態へ人の状態を誘導することが出来るという効果を奏する。
【０２９３】
本発明の態様１０に係る装置（１）は、上記態様３において、ユーザの位置を特定する特定部（ユーザ位置計測部３１）を更に備え、上記制御部（１１）は、上記第１の翼列部（１４）の送風方向と、上記第２の翼列部（１５）の送風方向とを、上記特定部が特定した位置に向くように制御する構成としてもよい。
【０２９４】
上記の構成によれば、装置は、特定部が特定したユーザの位置において、２つの翼列部の駆動時に発生する２つの音の周波数の差異に相当する周波数の音が聞こえるように複数の翼列部を制御することを可能とする。したがって、発生した低周波音が脳波との同調作用を生じ、リラックスや眠りやすい状態へ人の状態を誘導することが出来るという効果を奏する。
【０２９５】
本発明の態様１１に係る装置（１、２）は、上記態様２から１０の何れかにおいて、前記誘導周波数は、１４Ｈｚ以下である構成としてもよい。
【０２９６】
上記の構成によれば、装置は、α波、θ波、およびδ波の誘導周波数に相当する周波数を備える音を発生することを可能とする。したがって、送風音の重ね合わせによって生じる低周波音が脳波との同調作用を生じ、リラックスや眠りやすい状態へ人の状態を誘導することが出来る。という効果を奏する。
【０２９７】
本発明の態様１２に係る装置（１、２）は、上記態様２から１０の何れかにおいて、前記誘導周波数は、１．３３Ｈｚ以下である構成としてもよい。
【０２９８】
上記の構成によれば、装置は、安静時の心拍数の誘導周波数に相当する周波数を備える音を発生することを可能とする。したがって、送風音の重ね合わせによって生じる低周波音が脳波との同調作用を生じ、リラックスや眠りやすい状態へ人の状態を誘導することが出来る。という効果を奏する。
【０２９９】
本発明の態様１３に係る装置と、上記第２の翼列部を備えた他の装置とを含むことを特徴とするシステム（４）は、態様１から１２の何れか１項に記載の装置（第１換気扇３ａ）と、上記第２の翼列部（第２送風ファン１０４ｂ）を備えた他の装置（第２換気扇３ｂ）とを含む構成としてもよい。
【０３００】
上記の構成によれば、システムは、装置および他の装置が発生させた２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、リラックスや眠りやすい状態へ人の状態を誘導することが出来るという効果を奏する。
【０３０１】
本発明の態様１４に係るシステム（４）は、上記態様１３において、上記装置（第１換気扇３ａ）と上記他の装置（第２換気扇３ｂ）は、上記第１の翼列部（第１送風ファン１０４ａ）の正面方向と、上記第２の翼列部（第２送風ファン１０４ｂ）の正面方向が同じ向きとなるように配置されている構成としてもよい。
【０３０２】
上記の構成によれば、システムは、装置と他の装置から等距離にある位置のユーザに対し、第１の翼列部の駆動時に発生する音と、第２の翼列部の駆動時に発生する音との重ね合わせによって生じる低周波音によって脳波との同調作用を生じさせ、リラックスや眠りやすい状態へ誘導することが出来るという効果を奏する。
【０３０３】
本発明の態様１５に係るシステム（４）は、上記態様１３において、上記装置（第１換気扇３ａ）と上記他の装置（第２換気扇３ｂ）は、上記第１の翼列部（第１送風ファン１０４ａ）の正面方向と、上記第２の翼列部（第２送風ファン１０４ｂ）の正面方向が異なるように配置されている構成としてもよい。
【０３０４】
上記の構成によれば、システムは、第１の翼列部の正面方向と、第２の翼列部の正面方向が異なっているので、態様１３に係るシステムの場合よりも広い範囲をうなり音が聞こえる環境とすることができる。よって、より多くの人を、リラックスした状態や眠りやすい状態へ誘導することが出来るという効果を奏する。
【０３０５】
本発明の態様１６に係るシステム（４）は、上記態様１３において、複数の翼からなる翼列を含む第３の翼列部（第３送風ファン１０４ｃ）を備えた更に他の装置（第３換気扇３ｃ）を含み、上記第３の翼列部の駆動時に発生する第３の音の周波数は、上記第１の音または上記第２の音の周波数に等しい、構成としてもよい。
【０３０６】
上記の構成によれば、システムは、装置と他の装置の２つを用いる場合と比べ、空間内の局所的に増加させた範囲において、人を、リラックスした状態や眠りやすい状態へ誘導することが出来るという効果を奏する。
【０３０７】
本発明の態様１７に係るシステム（４）は、上記態様１３から１６のいずれかにおいて、上記装置（換気扇３）は、空間の換気を行う換気装置である構成としてもよい。
【０３０８】
上記の構成によれば、システムは、換気扇の駆動時に発生する音を用いて低周波音を発生させる。したがって、低周波音によって脳波との同調作用を生じさせ、リラックスや眠りやすい状態へ誘導することが出来るという効果を奏する。
【０３０９】
本発明の態様１８に係るシステム（４）は、上記態様１３から１７のいずれかにおいて、上記第１の音と上記第２の音が伝搬する空間の外部から、上記第１の翼列部の周囲を通って上記空間に伝搬する第４の音よりも上記第１の音が大きくなるように上記第１の翼列部の駆動を制御すると共に、該制御後の上記第１の音の周波数と、上記第２の音の周波数との差が、脳波の誘導周波数、心拍数の誘導周波数、及び呼吸数の誘導周波数のうち何れかになるように、上記第２の翼列部の駆動を制御する構成としてもよい。
【０３１０】
上記の構成によれば、システムは、装置が外部の音よりも大きな音を発生させ、該装置と他の装置が発生させた２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、室外音を気にすることなく、リラックスや眠りやすい状態へ人の状態を誘導することが出来るという効果を奏する。
【０３１１】
本発明の態様１９に係る装置を備えたシステム（４）は、上記態様１３において、上記装置（第１換気扇３ａ、第２換気扇３ｂ）は、上記第１の翼列部（第１送風ファン１０４ａ、第２送風ファン１０４ｂ）の駆動を制御する第１の制御部（第１制御部１０２ａ、第２制御部１０２ｂ）を備え、上記他の装置（第３換気扇３ｃ、第４換気扇３ｄ）は、上記第２の翼列部（第３送風ファン１０４ｃ、第４送風ファン１０４ｄ）の駆動を制御する第２の制御部（第３制御部１０２ｃ、第４制御部１０２ｄ）を備え、上記第１の制御部と上記第２の制御部は、各翼列駆動部（第１送風ファン駆動部１０３ａ、第２送風ファン駆動部１０３ｂ、第３送風ファン駆動部１０３ｃ、第４送風ファン駆動部１０３ｄ）に対して所定の制御信号を供給することにより、上記第１の音の周波数と、上記第２の音の周波数との差が、脳波の誘導周波数、心拍数の誘導周波数、及び呼吸数の誘導周波数のうち何れかになるように制御する構成としてもよい。
【０３１２】
上記の構成によれば、システムは、いずれかの制御部が故障した場合であっても、他の制御部に駆動が制御された翼列部を備えた複数の装置および他の装置が発生させ、空間内に伝搬した音が重ね合される範囲において、人を、リラックスした状態や眠りやすい状態へ誘導することが出来るという効果を奏する。
【０３１３】
本発明の態様２０に係る装置を備えたシステム（４）は、上記態様１３において、上記第１の翼列部（第１送風ファン１０４ａ、第２送風ファン１０４ｂ）および上記第２の翼列部（第３送風ファン１０４ｃ、第４送風ファン１０４ｄ）の駆動を制御する制御装置（制御部１０２）を更に含み、翼列部を駆動させる翼列駆動部（第１送風ファン駆動部１０３ａ、第２送風ファン駆動部１０３ｂ、第３送風ファン駆動部１０３ｃ、第４送風ファン駆動部１０３ｄ）は、上記第１の翼列部および上記第２の翼列部のそれぞれに対して設けられており、上記制御装置は、各翼列駆動部に対して、互いに異なる制御信号を供給することにより、上記第１の音の周波数と、上記第２の音の周波数との差が、脳波の誘導周波数、心拍数の誘導周波数、及び呼吸数の誘導周波数のうち何れかになるように制御する構成としてもよい。
【０３１４】
上記の構成によれば、システムは、１つの制御装置から供給された制御信号により、装置と他の装置が発生させた２つの音の周波数の差異に相当する、脳波の誘導周波数、心拍数の誘導周波数、及び呼吸数の誘導周波数のうち何れかになる周波数の音を発生することを可能とする。したがって、１つの電力供給源から単純な電気配線によって装置および他の装置のそれぞれを配置し、空間内に伝搬した音が重ね合される範囲において、人を、リラックスした状態や眠りやすい状態へ誘導することが出来るという効果を奏する。
【０３１５】
本発明の態様２１に係るシステム（４）は、上記態様１３において、複数の上記装置（第１換気扇３ａ、第２換気扇３ｂ）と、複数の上記他の装置（第３換気扇３ｃ、第４換気扇３ｄ）と、複数の上記装置における上記第１の翼列部（第１送風ファン１０４ａ、第２送風ファン１０４ｂ）の駆動をそれぞれ制御して、各第１の翼列部から上記第１の音を発生させる第１の制御装置（第１制御部１０２ａ）と、複数の上記他の装置における上記第２の翼列部（第３送風ファン１０４ｃ、第４送風ファン１０４ｄ）の駆動をそれぞれ制御して、上記第１の音の周波数との差が、脳波の誘導周波数、心拍数の誘導周波数、及び呼吸数の誘導周波数のうち何れかになるような周波数の第２の音を各第２の翼列部から発生させる第２の制御装置（第２制御部１０２ｂ）と、を更に含む構成としてもよい。
【０３１６】
上記の構成によれば、システムは、第１の制御部の制御によって複数の装置が発生させた第１の音と、第２の制御部の制御によって複数の他の装置が発生させた第２の音との間の周波数の差異に相当する、脳波の誘導周波数、心拍数の誘導周波数、及び呼吸数の誘導周波数のうち何れかになる周波数の音を発生することを可能とする。したがって、単純な電気配線で装置および他の装置のそれぞれを配置し、空間内に伝搬した音が重ね合される広い範囲において、人を、リラックスした状態や眠りやすい状態へ誘導することが出来るという効果を奏する。
【０３１７】
本発明の態様２２に係るシステム（４）は、上記態様２０において、上記制御装置（制御部１０２）と該制御装置の制御対象である上記装置（第１換気扇３ａ、第３換気扇３ｃ）および上記他の装置（第２換気扇３ｂ、第４換気扇３ｄ）とを構成要素とするユニットを複数含む構成としてもよい。
【０３１８】
上記の構成によれば、システムは、いずれかのユニットにおける制御部が停止した場合であっても、残るユニットによっていずれかの制御部を停止させた場合であっても２つの音の周波数の差異に相当する、脳波の誘導周波数、心拍数の誘導周波数、及び呼吸数の誘導周波数のうち何れかになる周波数の音を発生することを可能とする。したがって、いずれかのユニットが動作する場合において、空間内に伝搬した音が重ね合される範囲において、人を、リラックスした状態や眠りやすい状態へ誘導することが出来るという効果を奏する。
【０３１９】
本発明の態様２３に係る装置（周波数発生装置６）は、上記態様１において、上記他の装置（騒音源７）が備えている上記第２の翼列部の駆動時に発生する上記第２の音の周波数を検出する周波数検出部（周波数受信部２０１）と、上記周波数検出部が検出した上記周波数と、上記第１の音の周波数との差が、脳波の誘導周波数、心拍数の誘導周波数、及び呼吸数の誘導周波数のうち何れかになるように上記第１の翼列部（２０４）を駆動する制御部（２０２）と、を備えている構成としてもよい。
【０３２０】
上記の構成によれば、装置は、周波数検出部が検出した第２の音の周波数と、第１の音の周波数との差が、脳波の誘導周波数、心拍数の誘導周波数、及び呼吸数の誘導周波数のうち何れかになるように第１の翼列部を駆動させる。したがって、発生した低周波音が脳波との同調作用を生じ、リラックスや眠りやすい状態へ人の状態を誘導することが出来るという効果を奏する。
【０３２１】
本発明の態様２４に係る装置（周波数発生装置６）は、上記態様２３において、上記他の装置（騒音源７）の上記第２の翼列部から発生する上記第２の音の可聴範囲に設置され、上記第１の翼列部（２０４）の駆動時に発生する上記第１の音を上記可聴範囲に出力する構成としてもよい。
【０３２２】
上記の構成によれば、装置は、第２の音の可聴範囲に設置され、上記可聴範囲に対して第１の音を出力し、２つの音の周波数の差異に相当する、脳波の誘導周波数、心拍数の誘導周波数、及び呼吸数の誘導周波数のうち何れかになる周波数の音を発生することを可能とする。したがって、発生した低周波音が脳波との同調作用を生じ、可聴範囲内において、リラックスや眠りやすい状態へ人の状態を誘導することが出来るという効果を奏する。
【０３２３】
本発明の態様２５に係る装置（周波数発生装置６）は、上記態様２３において、上記他の装置（騒音源７）は屋外に設置されており、上記装置は、上記他の装置に付随して設置されていてもよい。
【０３２４】
上記の構成によれば、屋外に設置された他の装置に付随して上記装置が設置されているので、第２の音の発生源またはその近辺から、第２の音に第１の音を重ね合わせた状態とすることができる。よって、第２の音の発生源である他の装置とその近辺から、第２の音および第１の音の届く範囲までの広い空間において、脳波との同調作用を生じる低周波を発生させることが可能になる。
【０３２５】
上記他の装置（騒音源７）が屋外に設置されている場合、本発明の態様２６に係る装置（周波数発生装置６）は、上記態様２３において、上記第１の翼列部の駆動時に発生する上記第１の音を、上記他の装置の上記第２の翼列部から発生する上記第２の音の可聴範囲内の所定のエリアに出力するものであってもよい。
【０３２６】
上記の構成によれば、所定のエリア内において、第２の音に第１の音を重ね合わせた状態とすることができる。よって、所定のエリア内の空間において、脳波との同調作用を生じる低周波を発生させることが可能になる。例えば、公園などの憩いの空間において、従来は騒音と感じられていた第２の音から、ユーザをリラックスした状態に導く低周波を発生させることも可能になる。
【０３２７】
本発明の態様２７に係る装置（周波数発生装置６）は、上記態様２３において、上記他の装置（騒音源７）の外部または内部に組み込まれていてもよい。
【０３２８】
上記の構成によれば、上記装置が、第２の音を発生させる他の装置の外部または内部に組み込まれているので、第２の音の発生源から、第２の音に第１の音を重ね合わせた状態とすることができる。よって、他の装置が発する第２の音を、周囲の人が不快に感じることを防ぐことができる。
【０３２９】
本発明の態様２８に係る装置（周波数発生装置６）は、上記態様２３において、室内に設置されて、上記第１の音を室内に出力するものであってもよい。
【０３３０】
上記の構成によれば、上記装置が、室内に設置されて、上記第１の音を室内に出力するものであるから、室内で発生したか、または室外で発生して室内に伝わってくる第２の音を、室内の者が不快に感じることを防ぐことができる。
【０３３１】
本発明の態様２９に係る装置（周波数発生装置６）は、上記態様２３において、上記第１の翼列部を駆動するための内部電源を備え、ユーザが携帯して使用可能なものであってもよい。
【０３３２】
上記の構成によれば、上記装置が、第１の翼列部を駆動するための内部電源を備え、ユーザが携帯して使用可能なものであるから、ユーザの移動先において、ユーザの耳に入る第２の音を、該ユーザが不快に感じることを防ぐことができる。
【０３３３】
本発明の態様３０に係る装置（周波数発生装置６）は、上記態様２３において、上記第１の翼列部を駆動するための電力を外部電源から取得する電力取得部を備え、据え置きして使用可能なものであってもよい。
【０３３４】
上記の構成によれば、上記装置が、第１の翼列部を駆動するための電力を外部電源から取得する電力取得部を備え、据え置きして使用可能なものである。よって、上記装置を外部電源のある任意の場所に設置し、その場所においてユーザの耳に入る第２の音を、該ユーザが不快に感じることを防ぐことができる。
【０３３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０３３６】
１  扇風機（翼列部を備えた装置）
２  空気調和機の室内機（翼列部を備えた装置）
３  換気扇（翼列部を備えた装置）（他の装置）
４  翼列部を備えた装置を含むシステム
５  シーリングファン
６  周波数発生装置（翼列部を備えた装置）    ７  騒音源
１１  制御部    １２  第１送風ファン駆動部（翼列駆動部）
１３  第２送風ファン駆動部（翼列駆動部）
１４  第１送風ファン（翼列部）    １５  第２送風ファン（翼列部）
２１  第１送風部    ２２  第２送風部
３１  ユーザ位置計測部（特定部）    ４１  電気抵抗体（抵抗）
５０  制御部（抵抗制御部）
５１  第１送風ファン（翼列部）    ５２  第２送風ファン（翼列部）
５３  第１送風ファン駆動部（翼列駆動部）
５４  第２送風ファン駆動部（翼列駆動部）
５５  吹出口    ５６  第１風向変更部    ５７  第２風向変更部
６１  送風ファン駆動部（翼列駆動部）    ６２  送風ファン（翼列部）
６３  第１翼列部（翼列部）    ６４  第２翼列部（翼列部）
７１  第１送風路部材（送風抵抗部材）    ７２  第２送風路部材（送風抵抗部材）
１０２  制御部（制御装置）
１０２ａ  第１制御部（第１の制御装置）  １０２ｂ  第２制御部（第２の制御装置）
１０３  送風ファン駆動部（翼列駆動部）    １０４  送風ファン（翼列部）
２０１  周波数受信部（周波数検出部）    ２０２  制御部    ２０４  翼列部
【図１】
2017227207.tif 000003
【図２】
2017227207.tif 000004
【図３】
2017227207.tif 000005
【図４】
2017227207.tif 000006
【図５】
2017227207.tif 000007
【図６】
2017227207.tif 000008
【図７】
2017227207.tif 000009
【図８】
2017227207.tif 000010
【図９】
2017227207.tif 000011
【図１０】
2017227207.tif 000012
【図１１】
2017227207.tif 000013
【図１２】
2017227207.tif 000014
【図１３】
2017227207.tif 000015
【図１４】
2017227207.tif 000016
【図１５】
2017227207.tif 000017
【図１６】
2017227207.tif 000018
【図１７】
2017227207.tif 000019
【図１８】
2017227207.tif 000020
【図１９】
2017227207.tif 000021
【図２０】
2017227207.tif 000022
【図２１】
2017227207.tif 000023
【図２２】
2017227207.tif 000024
【図２３】
2017227207.tif 000025
【図２４】
2017227207.tif 000026
【図２５】
2017227207.tif 000027
【図２６】
2017227207.tif 000028
【図２７】
2017227207.tif 000029
【図２８】
2017227207.tif 000030
【図２９】
2017227207.tif 000031
【図３０】
2017227207.tif 000032
【図３１】
2017227207.tif 000033
【図３２】
2017227207.tif 000034
【図３３】
2017227207.tif 000035
【図３４】
2017227207.tif 000036
【図３５】
2017227207.tif 000037
【図３６】
2017227207.tif 000038
【図３７】
2017227207.tif 000039
【図３８】
2017227207.tif 000040
【図３９】
2017227207.tif 000041
【図４０】
2017227207.tif 000042
【図４１】
2017227207.tif 000043
【図４２】
2017227207.tif 000044
【図４３】
2017227207.tif 000045
【図４４】
2017227207.tif 000046
【図４５】
2017227207.tif 000047
【図４６】
2017227207.tif 000048
【図４７】
2017227207.tif 000049
【図４８】
2017227207.tif 000050
【図４９】
2017227207.tif 000051
【図５０】
2017227207.tif 000052
【図５１】
2017227207.tif 000053
【図５２】
2017227207.tif 000054
【図５３】
2017227207.tif 000055
【図５４】
2017227207.tif 000056
【図５５】
2017227207.tif 000057
【図５６】
2017227207.tif 000058
【図５７】
2017227207.tif 000059
【図５８】
2017227207.tif 000060
【図５９】
2017227207.tif 000061